(57)【要約】【解決手段】少なくとも１つの地上のサービスプロバイダ及び少なくとも１つの衛星のサービスプロバイダから複数の補助装置に信号を配信するシステムにおいて、該システムは、衛星またはセルタワーとの接続のための無線パラボラアンテナと、無線パラボラアンテナに接続した無線アクセスポイントと、無線アクセスポイントに接続したトランスピュータとを備える。トランスピュータは、回路基板と、少なくとも１つのプロセッサと、プロセッサ、メモリ及び物理的資源と相互通信するオペレーティングシステムと、補助装置に送信するための少なくとも１つの送信機と、補助装置から受信するための少なくとも１つの受信機と、中継器と、複数のデータポートと、少なくとも１つのハードディスクドライブと、プロセッサに全て接続されたメモリと、衛星、セルタワー及び／または地上のインターネットとの相互通信を可能にする無線アクセスポイントに接続された少なくとも１つのネットワークカードを含む、データポートに接続されたネットワークカードとを有する。
2013530553.tif 000002
【特許請求の範囲】
【請求項１】
少なくとも１つの地上のサービスプロバイダ及び少なくとも１つの衛星のサービスプロバイダから複数の補助装置へ信号を配信するシステムであって、
衛星またはセルタワーに接続するための無線パラボラアンテナと、
前記無線パラボラアンテナに接続された無線アクセスポイントと、
前記無線アクセスポイントに接続されたトランスピュータとを備え、
前記トランスピュータは、
回路基板と、
該回路基板上に載置された少なくとも１つのプロセッサと、
該プロセッサを動作させるためのオペレーティングシステムと、
前記補助装置へ送信するために前記プロセッサに接続された少なくとも１つの送信機と、
前記補助装置から受信するために前記プロセッサに接続された少なくとも１つの受信機と、
前記プロセッサに接続された中継器と、
前記プロセッサに接続された複数のデータポートと、
前記プロセッサに接続された少なくとも１つのハードディスクドライブと、
前記プロセッサに接続されたランダムアクセスメモリと、
前記無線アクセスポイントに接続され、衛星、セルタワー及び／または地上のインターネットとの相互通信を可能にする少なくとも１つのネットワークカードを含む、前記複数のデータポートに接続された複数のネットワークカードと、
を備え、
前記トランスピュータは、複数の周波数における信号を処理し識別するための処理チップをさらに備え、各周波数は前記複数の補助装置のうちの１つと関連付けられていることを特徴とするシステム。
【請求項２】
前記少なくとも１つの地上のサービスプロバイダは、前記セルタワーを通じてアクセスされるインターネットサーバで構成されることを特徴とする請求項１に記載のシステム。
【請求項３】
前記少なくとも１つの地上のサービスプロバイダは、有線接続を通じてアクセスされるインターネットサーバで構成されることを特徴とする請求項１に記載のシステム。
【請求項４】
前記複数の補助装置は、テレビ受像機、ファクシミリ、コンピュータ及び電話であることを特徴とする請求項１に記載のシステム。
【請求項５】
異なる周波数が特定の補助装置により識別されることを特徴とする請求項１に記載のシステム。
【請求項６】
前記インターネットサーバは、インターネット以外のサービスへアクセスするために対象の補助装置を認証することを特徴とする請求項２に記載のシステム。
【請求項７】
移動型トランスピュータ装置を用いてデータサービスを提供する方法であって、該移動型トランスピュータ装置は、回路基板上に載置されたプロセッサチップと、アンテナ及び前記回路基板に接続された受信機と、前記アンテナ及び前記回路基板に接続された送信機と、メモリと、少なくとも２つのポートと、前記移動型トランスピュータをコンピュータまたはテレビ受像機に接続してインターネット接続及び他のサービスを提供するためのネットワークスロットとを備え、
前記移動型トランスピュータ装置をコンピュータまたはテレビ受像機に接続するステップと、
前記移動型トランスピュータ装置のメモリ内に格納された予め設定されていたインターネットアドレスを通じて、使用可能なインターネットアドレスを取得するために少なくとも１つの衛星のサービスプロバイダまたは地上のサービスプロバイダへの最初の接続を獲得するステップと、
インターネット接続及び他のサービスをコンピュータまたはテレビ受像機に提供するために前記移動型トランスピュータ装置を認証するステップとを含むことを特徴とする方法。
【請求項８】
前記少なくとも２つのポートは、HMDI及びUSB のリストから選ばれることを特徴とする請求項７に記載の方法。
【請求項９】
認証が、使用可能なインターネットアドレスを通じて行われることを特徴とする請求項７に記載の方法。
【請求項１０】
認証が、前記少なくとも１つの衛星のサービスプロバイダまたは地上のサービスプロバイダを通じて行われることを特徴とする請求項７に記載の方法。
【請求項１１】
前記移動型トランスピュータ装置は、前記メモリ内に格納されたソフトウェア内の機能とリンクしており、かつ、前記移動型トランスピュータ装置からアクセス可能であり、そして認証により任意のコンピュータからインターネットを介してアクセス可能な、ボタンを備えたグラフィカルユーザインタフェースをさらに備えることを特徴とする請求項７に記載の方法。
【請求項１２】
前記移動型トランスピュータ装置は、メモリ内に格納された電話機能及びファクシミリ機能共用のアドレス帳をさらに備え、該方法は、前記アドレス帳とインターネットサーバとを同期させるステップをさらに含むことを特徴とする請求項７に記載の方法。
【請求項１３】
複数のファクシミリ番号を設定するステップと、
受信ファクシミリを１つのファクシミリ番号へリダイレクトし、前記受信ファクシミリへのインターネットのアクセスを可能にするステップとをさらに含むことを特徴とする請求項７に記載の方法。
【請求項１４】
前記移動型トランスピュータ装置は、インターネットの電話帳をさらに備え、前記方法は、前記インターネットの電話帳へ接続するステップをさらに含むことを特徴とする請求項７に記載の方法。
【請求項１５】
テキストメッセージを送受信するステップをさらに含むことを特徴とする請求項７に記載の方法。
【請求項１６】
前記トランスピュータと、前記衛星、セルタワー及び／または地上のインターネットとの相互通信は利用サービスに基づいていることを特徴とする請求項１に記載のシステム。
【請求項１７】
前記処理チップは、前記補助ユーザ装置にデータを送信する前に、データパケットに追加された余分なビットを除去し、前記データパケットを修復することにより前記データを変更することを特徴とする請求項１に記載のシステム。
【請求項１８】
前記複数の補助装置のうちの１つはテレビ受像機であり、テレビ番組中に表示される広告は国及び地域に基づいていることを特徴とする請求項１に記載のシステム。
【請求項１９】
前記広告の各々の開始と終了はフラグにより示され、記録中には前記フラグにより示される広告は除去されることを特徴とする請求項１８に記載のシステム。
【請求項２０】
前記少なくとも１つの地上のサービスプロバイダ及び前記１つの衛星のサービスプロバイダは、特定の会社のプロバイダに限定されないことを特徴とする請求項１に記載のシステム。
【請求項２１】
前記インターネットサーバは、インターネットプロトコルアドレスを通じて補助装置を認証することを特徴とする請求項２に記載のシステム。
【請求項２２】
認証は利用サービスに基づいていることを特徴とする請求項２１に記載のシステム。
【請求項２３】
利用サービスに基づく認証をさらに備えることを特徴とする請求項９に記載の方法。
【請求項２４】
少なくとも１つの地上のサービスプロバイダはインターネットサーバであり、該インターネットサーバは、認証サーバ、制御サーバ及びデータサーバを含むことを特徴とする請求項１に記載のシステム。
【請求項２５】
前記データサーバの各々は、テレビ番組の単一のチャンネル専用であることを特徴とする請求項２４に記載のシステム。
【請求項２６】
前記トランスピュータは、前記プロセッサに接続されたキャッシュメモリと、前記ランダムアクセスメモリとをさらに含むことを特徴とする請求項１に記載のシステム。
【請求項２７】
前記トランスピュータのキャッシュメモリは、近傍でまたは遠隔地の媒体から操作されるインターネットの映像及びゲームを処理するために使用されることを特徴とする請求項２６に記載のシステム。
【請求項２８】
前記トランスピュータに接続されたリモートコントロールをさらに含むことを特徴とする請求項１に記載のシステム。
【請求項２９】
前記トランスピュータは、前記送信機及び受信機を介して接続される前記補助装置からサブネットを作成するようプログラムされることを特徴とする請求項１に記載のシステム。
【請求項３０】
前記トランスピュータは、前記サブネットにおける前記補助装置にアドレスを割り当てるようプログラムされることを特徴とする請求項２９に記載のシステム。
【発明の詳細な説明】
【技術分野】
【０００１】
本発明は、地上及び衛星のシステムの分野に関する。特に、本発明はサービスを受けるためのトランスピュータに関する。
【背景技術】
【０００２】
本出願は、「トランスピュータ」と題する２０１０年３月２９日出願の米国仮出願第６１／３４７, ２９１に開示された１つ以上の発明の権利を請求し、合衆国特許法第１１９条（ｅ）に基づく米国仮出願の優先権の利益を主張する。また、前記出願は参照として本出願に組み込まれる。
【先行技術文献】
【特許文献】
【０００３】
【特許文献１】米国特許出願公開第２００６／００５３４３６号明細書
【発明の概要】
【課題を解決するための手段】
【０００４】
少なくとも１つの地上のサービスプロバイダ及び少なくとも１つの衛星のサービスプロバイダから複数の補助装置に信号を配信するシステムにおいて、衛星またはセルタワーとの接続のための無線パラボラアンテナと、該無線パラボラアンテナに接続された無線アクセスポイントと、該無線アクセスポイントに接続されたトランスピュータと、を備えるシステム。前記トランスピュータは、回路基板と、該回路基板上に載置された少なくとも１つのプロセッサと、該プロセッサを実行するためのオペレーティングシステムと、補助装置へ送信するためにプロセッサに接続された少なくとも１つの送信機と、補助装置から受信するためにプロセッサに接続された少なくとも１つの受信機と、前記プロセッサに接続された中継器と、前記プロセッサに接続された複数のデータポートと、前記プロセッサに接続された少なくとも１つのハードディスクドライブと、前記プロセッサに接続されたランダムアクセスメモリと、前記複数のデータポートに接続された複数のネットワークカードと、を有する。複数のネットワークカードには、衛星、セルタワー及び／または地上のインターネットとの相互通信を可能にする無線アクセスポイントに接続されたネットワークカードが少なくとも１つ含まれる。
【０００５】
また、移動型トランスピュータ装置を使用してデータサービスを提供する方法も開示される。
【図面の簡単な説明】
【０００６】
【図１】サービスを実行するために使用するグラフィカルユーザインタフェースを示す図である。
【図２】有線バージョンの衛星放送受信用パラボラアンテナ、及びデータの交換方法を示す図である。無線の実施例では衛星放送受信用パラボラアンテナが無線アクセスポイントとして作動する。無線の実施例とは異なり本実施例では、トランスピュータが無線アクセスポイントとして作動する。発信データは、衛星放送受信用パラボラアンテナを経由せずに、それぞれのトランスピュータから別々にセルタワー、衛星またはその他の装置に送られる。
【図３】無線バージョンの衛星放送受信用パラボラアンテナを示す図である。無線バージョンは、内蔵型アクセスルータを備え、プログラム可能である。衛星放送受信用パラボラアンテナは、無線アクセスポイントとして装置と相互通信する。また、送信機、中継器、増幅器、及び信号を劣化させずにデータを伝搬するのに役立つ他の装置を搭載する。有線バージョンのトランスピュータと同様に、無線バージョンのパラボラアンテナは、内蔵された送信機及び中継器の強さに応じて、トランスピュータと同様にデータを送信する。図３の無線パラボラアンテナは、任意のワイヤアウトレットを有する図である。
【図４】有線及び無線バージョンのメイントランスピュータが他の装置を認証する方法を示す図である。
【図５】リモートコントロールまたはトランスピュータのボタンを一押しするだけで、ソフトウェアを用いてシステムを所望のモードにすることができることを示す図である。所望のモードは、テレビ、衛星、監視カメラまたはその他でもよい。
【図６】テレビのサービスセンター、エンドユーザのデータ、地上、飛行機、及び船舶の送信機等のデータソースがデータを提供する時の、一般的なデータのフロー図を示す図である。送信機からのデータは常に、飛行機及び船舶の位置を突き止める。また、データソースには、衛星及びセルタワーに環境データを送信するための地上及び海上の送信機も含まれる。監視カメラは、特定の周波数で衛星放送受信用パラボラアンテナに直接データを送信してトランスピュータ及び付属のドライブまたはコンピュータへのダウンロード及び記録を行う。データソースには、衛星、パラボラアンテナ、トランスピュータ、及びインターネットに接続しているサーバを含む。
【図７】データソースから送信先へのデータの流れを示す図である。
【図８】電話のグラフィカルユーザインタフェースを示す図である。
【図９】トランスピュータ上に連絡先を記憶させ、サーバと同期するアドレス帳にリンクした電話及びファクシミリのユーザインタフェースを表す図である。
【図１０】図９に続き、電話及びファクシミリ用のユーザインタフェースを示す図である。
【図１１】ユーザがトランスピュータミニ（TM）を使用してサービスを受けるためのセットアップのプロセスを示す図である。ユーザが、既に別のISP からインターネットにアクセスしている場合、TMは使用されない。装置アドレスのみが使用される。
【図１２】サービスのメインメニューの操作方法を示す図である。メニューは、GUIと略されるグラフィカルユーザインタフェースから成る。
【図１３】トランスピュータのシステムボードの概略図である。
【発明を実施するための形態】
【０００７】
本発明は、本明細書の発明の詳細な説明と併せて、添付の図面を参照することにより完全に理解し得る。
【０００８】
図の符号の説明
図１において、リモートコントロールまたはトランスピュータの言語ボタン２を押すと、選択可能な言語が全て提供される。メニュー１を押すと、７つのオプション、すなわち、インターネットメニュー３、電話メニュー４、ファクシミリメニュー５、送信機メニュー６、監視カメラメニュー７、リアルタイム対話型ビデオメニュー８、及びテレビメニュー９の内、いくつかを示すメニューが提供される。
【０００９】
テレビメニュー９では、テレビ受像機をデフォルト設定にリセットするボタン９ｂ、テレビガイド１０、有料放送チャンネル１１、録画メニュー１２、設定／初期設定の変更１３、選択可能な地域または国を表示する地域選択オプション１４が提供され、国または地域を選ぶと、その地域で利用可能なチャンネルが表示される。更に、全てのサブメニューで終了オプション１５が提供される。
【００１０】
図１は更に、支払い及びサポート用の顧客サービスメニュー１６、インターネット及びテレビ用のペアレンタルガイドメニュー１７、言語選択メニュー１８、及びメインメニューヘ戻るオプション１５を示す。
【００１１】
オプションは全て、機器が設置されている国をデフォルトとし、テレビ受像機のデフォルトチャンネルを示す。リセットボタンで場所に戻る。テレビ受像機のサブメニュー９を選択すると、サービスプロバイダにより随時アップデート可能な全ての加入国及び地域のリストが提供される。テレビメニューまたは顧客サービスメニューを通じて、ユーザはパッケージの追加や削除など、追加サービスを要求できる。
【００１２】
顧客サービスメニューオプション１６には、サービス利用タイプの変更、取引明細書の閲覧、請求書の支払い、内蔵メール形式である電子メール顧客サービス、及び顧客サービスの連絡先電話番号がある。ユーザが実際に設定の変更を望めば、設定／デフォルト設定の変更１３により変更できる。
【００１３】
図２において、符号１９は有線パラボラアンテナ、符号２０は接続ワイヤ、符号２１はメイントランスピュータ、そして符号２２は２次的なトランスピュータを表している。更に、符号２３は家庭の無線電話、符号２４はコンピュータ及びテレビ受像機等の装置、符号２５はトランスピュータに接続されている電話、符号２６はルータまたはスイッチ、そして符号２７はオプションのアンテナを表している。
【００１４】
図３において、符号２８はデータアクセスポイントとして利用される無線アンテナ、符号２２はトランスピュータ、符号２３は家庭の無線電話、符号２４はコンピュータ及びテレビ受像機などのデータ装置、符号２５は電話、そして符号２６はユーザのデータ装置が接続されているルータまたはスイッチである。ルータ２６は任意でトランスピュータ内部に内蔵される。
【００１５】
図４において、メイントランスピュータの電源をオンにする（ステップ２９）。トランスピュータの電源がオンになっていなければ（ステップ３０）、ユーザは、テクニカルサポートに電話をかける前に電気的な接続をチェックする（ステップ３１）。コンピュータの電源はオンになっているが、信号ソースから信号が受信されない場合（ステップ３２）、接続されていないことを示すメッセージが表示され、ユーザがトランスピュータを再起動する（ステップ３３）。信号が受信されると、トランスピュータはトランスピュータに接続するよう登録された２次的な装置をチェックする（ステップ３４）。登録されている装置がなければ、「装置がありません」というメッセージが表示され、メッセージが消える（ステップ３５）。接続するよう登録された装置がある場合（ステップ３６）、トランスピュータがヘルツを一致させるために受信する正弦波の周波数をチェックする（ステップ３７）。装置が間違った周波数で応答した場合、あるいは応答しない場合（ステップ３８）、トランスピュータは「装置が接続されていません」と表示する。応答が設定どおりであれば（ステップ３９）、トランスピュータはアドレスもチェックする（ステップ４０）。アドレスが間違っていれば（ステップ４１）、トランスピュータは「テクニカルサポートに連絡してください」と表示する。アドレスが正しい場合、トランスピュータは全てのセキュリティをチェックし（ステップ４２）、問題がなければ（ステップ４３）２次的な装置は認証される（ステップ４４）。データが流れ（ステップ４５）、完了時に接続は終了される（ステップ４６）。
【００１６】
図５において、トランスピュータの手動電源ボタンに加え、トランスピュータに電源を入れる（ステップ４７）。リモートは、大部分の標準規格のテレビ受像機の電力を制御するようプログラムされる。また、リモートは画面上のキーボードを制御し、トランスピュータで使用する任意のUSB または無線キーボードを通してグラフィカルユーザインタフェースを操作する。ステップ４８ではテレビまたは衛星設定のデフォルトモードである。ステップ４９で操作のモードが変更され、ステップ５０で所望のモードをチェックする。モードが正しければ何も実行されず（ステップ５１）、その他のモードはキャシュメモリからクリアされる（ステップ５２）。ユーザがテレビモードを望んだ場合（ステップ５３）、デフォルトのチャンネル、または最後に視たチャンネルでテレビモードが選択されて（ステップ５５）チャネル設定の変更が可能になる（ステップ５７）。電話またはファクシミリなどのテレビでないモードが選択されると（ステップ５２）、特定のソフトウェアが起動して（ステップ５４）選択されたモードが立ち上がる（ステップ５６）。数字が入力されるファクシミリまたは電話のテキストフィールドの場合、読み込む文字は数字のみだが、モジュールが入力文字列を読み込み、ファクシミリまたは電話のためにデータ構造に入力文字列を挿入する。文字が区切り文字であれば、スキップされる。ファクシミリデータのテキストフィールドは内容をファイルとして保存する。データファイル及びテキストフィールドデータは全て、ファクシミリのソフトウェアにファイルとして送られるので、何処からでもファイルとして取り出して印刷するかもしくは別の送信先へ転送することができる。ステップ５８で終了する。
【００１７】
図６において、符号５９は宇宙衛星、符号６０ａはデータ制御センター、送信機及び監視カメラ等のデータソース、符号６０ｂはケーブル経由でタワーに接続されているサーバ、そして符号６３は地上のインターネットに接続しているサーバからのケーブル一式を表している。符号６１はセルタワー（cell tower）、符号６２はアンテナ、そして符号２２はトランスピュータである。サーバは宇宙衛星と相互通信するタワーに接続して、データをダウンリンクまたはアップリンクし、インターネットのサーバと同期する。
【００１８】
図７は、ソースから送信先までのデータの流れを示す。ステップ６４で開始され、ステップ６５はデータソースである。ステップ６６で衛星またはセルタワーが信号を地球へ発信し、ステップ６７で衛星アンテナが信号を捕獲する。ステップ６８で、信号はトランスピュータに送られる。ステップ６９で、トランスピュータは指定された周波数、または特定の装置に割り当てられた周波数の範囲で信号を受信する。ステップ７０でトランスピュータは信号を増幅する。ステップ７１で信号をデコードし解読する。ステップ７２でトランスピュータは対象とする装置へデータを送る。ステップ７３で条件を選択する。装置のデータが発信された場合、選択が電話機に進み（ステップ７５）、それ以外の任意の発信データはテレビ受像機に進む（ステップ７４）。ステップ７４は一方向のデータ配信である。電話機はトランスピュータから発信データを受信する（ステップ７５）。ステップ７６でデータを暗号化する。ステップ７７で発信データを変調及びエンコードする。ステップ７８で増幅する。ステップ７９で圧縮する。ステップ８０で送信してステップ８１で処理を終了させる。
【００１９】
図８は、画面上の電話用ユーザインタフェースを示す。トランスピュータが設置されているアドレスの場所が、電話のダイヤルパッドの上部に表示される（８２）。クリックすると、連絡先ボタン８３が全ての保存連絡先を示して図９のポップアップウィンドウを提供する（１１０〜１１４）。これによりユーザは、編集オプションを選択して連絡先リストを編集するか、あるいは追加オプションを選択して新規の連絡先を追加することが可能になる。これらの連絡先は電話とファクシミリの間で共有される。連絡先はトランスピュータに常駐するが、バックアップのためにサーバと同期する。同期化は、構成に応じて手動または自動で行われ得る。連絡先を選ぶと名前が示され、名前をハイライト表示すると、通話またはキャンセルのオプションが与えられる。
【００２０】
発信呼８４は発信する電話を表示し、着信呼はポップアップウィンドウに表示され、符号８５で受信した電話を受ける。符号８６は不在着信呼を表示する。大半のボタンが、図１０のようにダイアログボックスを使用する。符号８７でスピーカのオン／オフを切り替える。図２及び図３の外部の電話２５が接続されていない場合、あるいは外部のオーディオ装置が接続されていない場合、音声はトランスピュータのスピーカを通って出て行くが、外部の装置から入ってくる。音量調整８８は、通話中の音量の上げ下げを行う。縮小、拡大及び終了８９は、電話インタフェースのキーパッドの縮小、拡大及び終了を行う。
【００２１】
ボイスメール設定９０は、複数のユーザが自分の受信トレイを選択し、必要に応じてパスワードを使用してボイスメールを設定することを可能にする。ボイスメール聴取９１は、ユーザが自らの特定のメールボックスを選択してボイスメールを聴くことを可能にする。ボイスメール削除９２は、ボイスメール聴取後にそのメッセージを削除する。ボイスメール保存９３は、今聴いた音声メッセージを保存する。呼転送設定９４は、呼転送を設定する。ボイスメモ録音９５は、発信者のためにメッセージを一時的に録音することを可能にする。電話番号９６は、電話番号及び市外局番を含む電話情報を表示する。サービス要求９７は、トランスピュータが設置されているアドレスの変更、クレジットカードまたは他の電子手段の利用による長距離通話時間の購入など、更に多くのサービスを要求する。また、パスワードのリセット要求や、ユーザが助けを必要とする場合に備えて、顧客サービスの電話番号も提供する。
【００２２】
番号テキストボックス９８は、ダイヤル中に入力された電話番号を表示する。呼９９は、番号テキストボックス９８に電話番号が入力された後に電話をかける。また一方、ユーザは電話をかける際、連絡先、発信または受信リストから電話番号を選択することもできる。
【００２３】
終了１００は通話をキャンセルし、クリア１０１は、番号テキストボックス９８をクリアする。
【００２４】
数字１０２は、電話をかける際に使用される０から９の数字、＊、♯である。時間１０３は、通話開始時間を表示する。通話時間１０４は、通話時間を表示する。保留１０５は、電話の向こう側の発信者を保留し、構成によっては音楽を再生する。リンク１０６は、三者間通話を可能にする。テキストメッセージ１０７は、テキストメッセージの送受信に使用される。ボタンがクリックされると、テキストボックスが現れる。緊急電話番号１０８をクリックすると、指定の緊急電話番号へ電話がかかる。確認ダイアログボックスが現れて、実際に緊急電話番号へ電話をかけたいか否かをユーザに確認する。電話帳１０９は、ユーザが入力により選択できるインターネットの電話帳にリンクする。しかし、デフォルトでは指定された電話帳になっている。
【００２５】
図９には、電話連絡先のタイトル１１０、連絡先のリストを表示する連絡先リスト１１１ 、新規の連絡先を追加する連絡先追加１１２、既存の連絡先を編集する連絡先編集１１３が含まれている。連絡先通話１１４により、ユーザはハイライト表示された連絡先番号へ電話をかけることができる。
【００２６】
更に図９に示すように、入力のために使用するダイアログボックスのタイトルである連絡先リスト追加／編集１１５、名前を入力するテキストフィールド１１６、電話番号を入力するテキストフィールド１１７、及び備考のためのテキスト領域１１８を示している。ボタン１１９は入力を有効にし、そしてボタン１２０は入力をキャンセルする。同様のボックスが、新規の入力としてファクシミリ番号を入力するために使用される。符号１２１はダイアログボックスのタイトルで、着信呼を表示する１２２を用いて着信電話を受ける。ボタン１２３は電話を受け、ボタン１２４は着信呼をキャンセルする。
【００２７】
図１０のタイトル１２５では、３つのダイアログボックスが互いに類似しているため１つとして表されている。１つ目は発信呼用、２つ目は着信呼用、３つ目は不在着信呼用である。図８の画面上のキーパッドでいずれのボタン（８４、８５、８６）が押されたかによってダイアログボックスが表示される。符号１２６では、ユーザが利用できる通話リストから選択して直接電話をかけるか、連絡先に追加することができる。ボタン１２７は、ハイライト表示された番号に電話をかけ、ボタン１２８は連絡先を追加する。
【００２８】
図１０は更に、ファクシミリを示すタイトル１２９がついた受信デジタルファクシミリを示す。ファクシミリリスト１３０は、保存されている未開封のファクシミリ全てを表示する。オープンボタン１３１は、ファクシミリを開き、プリントボタン１３２は選択されたファクシミリをプリンタまたはファクシミリ機でプリントする。転送ボタン１３３は、ファクシミリ連絡先から選択されたか、または直接打ち込まれた別の番号へファクシミリを転送する。最後の削除ボタン１３４は、ファクシミリをメモリから削除する。
【００２９】
図１１は、ステップ１３５から始まるサービス設定の手順を示す。ステップ１３６は、ユーザが別のプロバイダでインターネットにアクセスしているかをチェックする。もしユーザが既にインターネットにアクセスしていれば、周波数帯域幅が十分かどうかチェックする（ステップ１３７）。十分でなければトランスピュータミニ（TM）を入手することを勧める（ステップ１３８）。周波数帯域幅が必要なサービスを受けるにあたって十分であれば（ステップ１３７）、個人がウェブサイトからソフトウェアをダウンロードするか、またはディスクからインストールする（ステップ１４７）。ユーザは、支払い及び装置アドレスを含むサービス利用者の詳細情報を入力し、ソフトウェア内で送信ボタンを押すことができる（ステップ１４８）。これにより、装置が設定されてアドレスが登録され（ステップ１４９）、サーバ上のサービスにアクセスできる（ステップ１５０）。終了ボタンで完了する（ステップ１５１）。もし装置が他のプロバイダからインターネットに接続していなければ（ステップ１３９）、無線接続及びその他のサービスを提供するために、トランスピュータミニ（ＴＭ）が使用され、汎用シリアルバス、高解像度マルチメディアインタフェース、またはその他のスロット等のポートに繋がれる。TMは、衛星または地上の無線アンテナに自動接続する。ＴＭは自動接続されているか否かチェックする（ステップ１４０）。もし自動接続されていなければ、個人がTMのリセットボタンを押し、必要に応じて装置を再起動し、接続を確立する（ステップ１４１）。接続を再チェックする（ステップ１４２）。まだ接続されていなければ（ステップ１４３）、別のTMが使用されるか、またはテクニカルサポートへ電話がかかる。接続が確立されていれば（ステップ１４４）、TMのデフォルトアドレスからソフトウェアがダウンロードされる。ユーザの詳細情報が送信され（ステップ１４５）、永久的な静的アドレスを得る。ソフトウェアは新しいIPアドレスで設定され（ステップ１４６）、終了する（ステップ１５１）。
【００３０】
図１２は、サービスメニューの使用方法を示す。装置の電源を入れる（ステップ１５２）。接続性をチェックする（ステップ１５３〜１５６）。接続していれば、メインメニューを表示して（ステップ１５７）、対応するユーザインタフェース１５９、１６１、１６３及び１６５を用いて選択肢１５８、１６０、１６２及び１６４を提供する。通常の操作を行い（ステップ１６６）、終了する（ステップ１６７）。
【００３１】
図１３は、トランスピュータのシステムボードの概略図である。図１３に示すように、トランスピュータのシステムボードは、接続ケーブル１７０で結合された小型の回路基板１６８と、それより大型の回路基板１６９から構成される。片方の基板の誤作動が、もう片方の機能性に影響を及ぼすとは限らない。小型の回路基板１６８は、ネットワーク制御装置ブリッジ１７１及びネットワークスイッチ１７２をホストしている。ネットワークスイッチ１７２は少なくとも３つのスロットを備える。１つ目のスロットは同軸ケーブル接続用のスロット、２つ目のスロットはノート型パソコンなど、他の装置を接続するためのローカルエリアネットワークを提供するイーサネット（登録商標）無線接続用のスロット、そして３つ目のスロットは、受信機、送信機、中継器、無線信号用のノイズフィルタ、変調器、及びデータ形式を変換するためのエンコーダと接続するアンテナを用いた、衛星の入出力用のスロットである。発信データには、同軸ケーブル、HDMIケーブル、USB 、コンポーネント、電話のジャック、及びオーディオが含まれるが、これらに限らない。
【００３２】
より大型の回路基板１６９は、遠隔でアップグレードが可能なBIOSがインストールされたフラッシュROM １７３と、内部バス１７７において、ケーブル１７５経由で入出力制御装置ブリッジ１７６に接続された入出力ポート１７４をホストしている。入出力制御装置はサウスブリッジとしても知られ、また、オンボードグラフィック制御装置１７８、PCI 及び他の拡張スロット１８０を有するPCI バス１７９、及びIDE （ハードディスクドライブ）にリンクされている。
【００３３】
ノースブリッジ１８１も内部バス内にあり、キャッシュメモリと接続するメモリバス１８２、ランダムアクセスメモリ、及びグラフィックスカードスロットを提供するＰＣＩエクスプレスなどの高速グラフィックバス１８３と接続する。ノースブリッジ１８１は、クロック１８５及びマルチプロセッサ１８６を全てのコンポーネントにリンクさせるプロセッサバス１８４とも接続されている。基板１６８の上に載置されたプロセッサ１８６は任意である。
【００３４】
システムの説明
本システムは、サービスへのアクセスを簡単にするために、２つ以上のサービスプロバイダからの地上及び衛星のサービスを結びつける。本システムは、既に１つのプロバイダからインターネットサービスを受けている装置が、他のプロバイダから、テレビ受像機、電話及びファクシミリ等の他のサービスを得ることを可能にする。本システムでは、サービス利用者が、サービスを変えずに、一時的にある場所から別の場所へサービスを移すことができる。
【００３５】
以上のことは、トランスピュータ、トランスピュータミニ、及びアンテナによって達成される。利用しているサービスは、異なるプロバイダから既存のインターネットに接続することによってもアクセスできる。
【００３６】
本願のサービスは、インターネットサービス、 テレビサービス、電話サービス、ファクシミリサービス、リアルタイムビデオ、 監視カメラサービス、またはプロセッサに入力される際に様々なワイヤ及び周波数により収集される送信機データ集の何れか１つ、または組み合わせたものを指す。一方で、トランスピュータは、通常のコンピュータ同様、計算機能を有する。
【００３７】
装置は、トランスピュータ、トランスピュータミニ、テレビ受像機、コンピュータ、携帯電話、その他を意味してもよい。
【００３８】
本願においてプロセッサは、ワイヤ及び電子回路を介してデータを受信し、指示に従ってデータを処理するデータ処理チップを指している。
【００３９】
トランスピュータ及びトランスピュータミニについては、操作の項目で詳しく述べる。
【００４０】
サービスを別々に提供する無線システムとは異なり、本発明は宇宙衛星及びセルタワーに加えて、地上のインターネットサーバへのアクセスを可能にする。本システムは、テレビ受像機、無線電話、監視カメラのデータ、リアルタイムビデオ、ファクシミリ、送信機データ集及びコンピュータの受信データを提供する。発信データにはビデオ、ファクシミリ及び音声が含まれる。更に、本システムは、ブラウザでインターネットに接続し、データを処理する。本トランスピュータは、いくつかの衛星のテレビシステムで使用される受信機の代わりに双方向及びネットワーク間通信を提供する。
【００４１】
本発明は、建物内から無線で信号配信することを可能にする。ある実施形態では、トランスピュータ内蔵の無線パラボラアンテナは屋外に設置される。他の実施形態では、ワイヤで接続された屋内のメイントランスピュータは、アドレス指定により接続された他のトランスピュータへ無線でデータを配信する。内蔵型イーサネット無線ルータは、ネットワーク上の他の装置との接続性を提供する。この無線の組み合わせにより、ワイヤを通すために壁に穴をあける必要がなくなる。
【００４２】
現在利用可能な無線システムでは、建物内の部屋によっては、顧客がテレビ受像機を置きたいと思っても壁に穴を開ける事を前提とする受信機にはアクセスできない虞がある。建物内の無線データ配信により、本発明のシステムの費用効果が高くなる。
【００４３】
システムによっては、何らかの理由で衛星信号が消失した時、リモートコントロールがユーザフレンドリではない場合がある。衛星モードを復元するために、いくつかのステップを踏まなければならない。本発明では、１つのステップボタンでテレビモードを復元し、またその逆も同様に行う。
【００４４】
リモートコントロールまたはトランスピュータのボタンを使用すると、テレビモードが全てのトランスピュータの機能を止めるが、ボタンをいくつも押さずともテレビ受像機が作動するようにトランスピュータには電流が流されている。衛星モードは、図５のフローチャートに示すように、ボタンを一つ押して衛星に接続する。
【００４５】
これは、衛星モード、テレビモードまたはデフォルトに対する全ての操作をリセットし、好みのものを選ぶためのコマンドを出すソフトウェアによって達成される。
【００４６】
図３に示すように、トランスピュータ内蔵のプログラム可能な無線パラボラアンテナでは、複数のユーザ装置が、ワイヤでなくアドレス指定機構によって１つのパラボラアンテナに接続されることができる。同様に、他の実施形態のメイントランスピュータは、ワイヤを介してデータを取得し、その後、他の装置でデータを利用する。特に本システムは、路上の電柱や電線を使わずにサービスを提供する。オプションのワイヤアウトレットが無線衛星アンテナに組み込まれ、通常では受信できない地階での信号受信を可能にする。
【００４７】
建物内のトランスピュータは夫々、パラボラアンテナからデータを受信する。一方で、該トランスピュータの各々は、屋外のパラボラアンテナを使用せずに直接発信データを送信する。
【００４８】
伝送制御プロトコル（TCP ）以外にユーザデータグラムプロトコル（UDP ）が使用されている衛星経由の放送データでは、追加ビットがパケットに追加されて、非サービス利用者が放送データを利用できないようにし、受信側でアプリケーションにより除去される。
【００４９】
テレビ受像機が少数の有線のテレビ受像機に制限される衛星受信のテレビ受像機とは異なり、様々な装置がトランスピュータに無線接続されている。
【００５０】
太陽光パネルの利用により、遠隔地のユーザは、大手電力会社からの電力を使用せずに、自宅の無線電話、インターネット及びテレビ受像機を使用することができる。
【００５１】
今日では、多くの人が地上回線の電話に加入しない。地上電話回線によってパラボラアンテナの位置を追跡する既存のシステムとは異なり、インターネットプロトコル（IP）等のアドレスを用いたパラボラアンテナまたはトランスピュータは、無線で容易に追跡でき、パラボラアンテナまたはメイントランスピュータに接続されている装置の位置及び数などの有用な情報を提供することができる。これは、使用されるトランスピュータが全てアドレス指定されるためである。サービスの管理はサービスプロバイダによって遠隔から行われる。更に、本発明では、ユーザは遠隔地からログオンし、自分のデータを管理することができる。
【００５２】
本発明は、環境データ配信の送信機からの、地上または広水域の気候あるいは気象の電子データを分析及び保存するために、リアルタイムで収集することを可能にする。本発明はまた、監視カメラからのデータ及び飛行機等の移動する物体からのデータを、アンテナを経由してトランスピュータに収集することを可能にする。
【００５３】
他の技術とは異なり、本トランスピュータは、イーサネットポートのついた無線カードを使用して、特に衛星回線用の任意のインターネットサービスプロバイダ及びカードと接続することが可能である。このため、サービスを提供する如何なる企業もトランスピュータを利用することができる。
【００５４】
トランスピュータによってプロバイダのサーバとのファイルの同期化が可能になるため、モバイル機器を利用するトランスピュータの所有者は、何処からでも簡単にデータにアクセスできる。サービス利用者は、認証された装置を使用して、データ及び利用するサービスに遠隔からアクセスする。
【００５５】
認証サーバは、サービスを利用する毎に、同時に使用している装置の数のログを記録する。接続するモバイル機器の数は条件により異なる。
【００５６】
サービスの利用形態に応じて、ユーザは、ファクシミリの受信及び発信を含むデータを、自動または手動で同期するようトランスピュータを設定する。
【００５７】
トランスピュータの所有者は、 インターネットに接続されている場所から、またはトランスピュータミニ（TM）上の衛星を経由して、自分のテレビ受像機、電話及びファクシミリの利用サービスにアクセスする。
【００５８】
トランスピュータは、画面上のキーボードに加え、如何なる無線またはUSB 接続のキーボードとも連動する。トランスピュータは、最適なオペレーティングシステムを用いてコンピュータの処理能力を十分に備え、また、互換ポートが付いた如何なるディスプレイとも連動する。トランスピュータは、コンピュータの機能を備えているため、ネットワーク上またはディスクのブラウザを使って、コンピュータに通常ダウンロードするものは何でもダウンロードできる。トランスピュータは、ソフトウェアの更新データが入手可能になる度に、自動更新または手動更新するよう構成できる。
【００５９】
リモートコントロール、画面上のキーボード及びトランスピュータのボタンは、トランスピュータの全機能を制御する。しかし、如何なるUSB ポート付きキーボードまたは無線キーボードでも自動的に作動するよう、最も一般的なキーボードのドライバが予めインストールされる。
【００６０】
ネットワーク上のトランスピュータは、アプリケーションソフトウェアをローカルドライバにインストールする替わりにシェアしてもよい。これにより、処理時間が短縮され、記憶空間に空きが生じることになる。
【００６１】
トランスピュータのシステムは、衛星の放送と光ファイバ等のケーブル経由のインターネットの放送とをリンクさせるサーバを利用する。これにより、ユーザは、インターネット接続によって、またはUSB,HDMI等のポートもしくは装置のネットワークスロットにつないだ携帯トランスピュータミニを使って、サービスに遠隔からアクセスできる。
【００６２】
地上の衛星は、データをアップリンク及びダウンリンクするために、宇宙衛星と相互通信する。同様に、地上の衛星は、サーバ及びトランスピュータと相互通信する。
【００６３】
トランスピュータは、無線イーサネットカード及び同軸入力によってインターネットに接続するために、如何なるインターネットサービスプロバイダと共に使用される。トランスピュータは、衛星カードにより衛星アンテナに接続する。カメラが接続されている場合は、ビデオ会議用に互換ポートを用いて如何なるディスプレイとも連動する。
【００６４】
携帯電話、コンピュータまたはテレビ受像機等のアドレスベースの装置は何れも、サービスを何処からでも利用できるよう認証される。
【００６５】
本システムは、都市環境における既存のケーブルリングの他に、地方のユーザ用に無線衛星回線も使用するため、衛星とインターネットトラフィックを接続する。
【００６６】
トランスピュータ及びトランスピュータミニは、衛星と連動してサービスを提供する。ケーブルでインターネットに接続されたトランスピュータのサーバは、タワーのアンテナ経由で衛星にデータをアップリンクし、宇宙衛星からインターネットに接続したサーバにダウンリンクするサーバと同じデータを共有する。トランスピュータミニ（TM）は、サービスへのモバイルアクセスを提供する。更に、インターネットプロトコル等のインターネットアドレス及びオペレーティンシステムを持つ他の如何なる装置も、認証サーバに装置アドレスを登録した後は、サービスに対して認証される。サブネットは、サービス用のサーバに接続しているインターネットアドレスの発信元を特定するために、様々な地域でセットアップされる。
【００６７】
衛星放送受信用パラボラアンテナには２つのバージョンがある。すなわち、図２に示す有線バージョンと図３の無線バージョンである。無線バージョンは、信号を受信し、図３の無線機構または図２のワイヤ２０を使用する内蔵型ルータ２８ｂを備え、図６に示す宇宙衛星５９、セルタワー６１、監視カメラ及び送信機６０からトランスピュータ６３へ信号を転送する。ファクシミリ、リアルタイムビデオ、音声及びデータは、アンテナまたは宇宙衛星経由でトランスピュータからセルノードへ戻される。
【００６８】
図２に示すように、本システムの有線バージョンには２つのオプションを有する。１つ目は、衛星放送受信用パラボラアンテナ１９が信号を収集し、ワイヤ２０を介して信号をメイントランスピュータ２１に信号を伝える。衛星放送受信用パラボラアンテナ１９からのワイヤ２０は、特定の周波数のみをデコードする特殊なプロセッサチップヘ信号を伝えるべく設定される。すなわち、ワイヤ２０は、信号をテレビ番組用にデコードするチップへ信号を送る。アンテナ１９からの別のワイヤ２０は、最初のワイヤに沿って延びており、トランスピュータがコンピュータまたはテレビ２４用に信号をデータにデコードするために、トランスピュータ内の別のチップへ信号を送る。また、別のワイヤは、トランスピュータまで達して当該範囲の周波数のデータが家庭の電話２５などのために音声へデコードされる。各ワイヤ及びその周波数範囲それぞれにプロセッサチップが存在するため、全ての装置、すなわち、テレビ受像機、コンピュータ、電話、ファクシミリ、監視カメラ、リアルタイムビデオ及び送信機は単独で作動する。
【００６９】
代替方法として、図２の衛星放送受信用パラボラアンテナ１９からのデータが、１本のワイヤ２０を通ってメイントランスピュータ２１まで送られる。次に、トランスピュータ２１がノイズまたは不要なデータを除去し、周波数に従って信号を分割、増幅、デコードし、ユーザ装置に、または無線で建物内の別のトランスピュータ２２に信号を送る。
【００７０】
トランスピュータ２１は、テレビ番組の信号、インターネットのデータ、音声、ファクシミリ、監視カメラ、リアルタイムビデオ、送信機、あるいはこれら全てを衛星放送受信用パラボラアンテナ１９から受信するようになっている。インターネットプロトコル（ＩＰ）等のアドレスを有するこのトランスピュータは、無線でトランスピュータに接続する他の装置のアドレスの入力を可能にする。
【００７１】
これらのアドレスは、内蔵型のミニキーボード、汎用シリアルバス（USB ）等のポートで外部に接続されたフルサイズのキーボード、または外部に接続された装置によって入力される。この外部に接続された装置にログオンし、装置の対象アドレスをトランスピュータ内のアドレスと同期すると、他の装置がトランスピュータに接続することが可能になり、また、使用が中止された装置を取り外すことが可能になる。
【００７２】
このような場合、メイントランスピュータ２１は無線アクセスポイントのように作動する。一方で、アドレスがメイントランスピュータに入力されている装置、または、ルータもしくはコンピュータのスイッチ等のトランスピュータに物理的に接続されている装置にのみ接続を制限する。メイントランスピュータは、無線送信中の劣化を防ぐため、信号を増幅する中継器を搭載している。
【００７３】
メイントランスピュータ２１は、ネットワーク上でサブネットとしても作動し、図４のステップ２９〜４６に記載のように認証する。そのネットワークからは、類似のアドレスが、インターネットプロトコル（IP）等のアドレス指定によって、または無線で認証及び信号の送受信が可能な他の手段によって、近くにある他のトランスピュータ２２へ拡張している。このアドレス指定機構により、メイントランスピュータは、データ送信時に特定される。しかし、トランスピュータは、電話番号、システム識別番号（SIN ）または物理アドレスによっても特定され得る。
【００７４】
２次的なトランスピュータ２２は、そのアドレスがメイントランスピュータ２１に記憶されている。２次的なトランスピュータ２２の電源が入れられると、２次的なトランスピュータ２２は、認証のためにメイントランスピュータ２１へアドレスを提供するべくメイントランスピュータからの信号を探し、メイントランスピュータ２１は、アドレス及び他のデータを検証し、その後接続及びデータ交換を許可する。
【００７５】
トランスピュータ２１、２２、及びルータ２８ｂは、データを送信するようになっているので、インターネットに接続された装置に必要な相互通信が可能になる。
【００７６】
トランスピュータ、コンピュータ２４及びＰＤＡ２３等のモバイル機器の間の通信を可能にするため、ルータまたはスイッチ２６はトランスピュータ２２に物理的に接続されている。トランスピュータに接続されているルータまたはスイッチ２６はイーサネットポートとは無線である。図７のステップ６８〜７２に示すように、トランスピュータは、受信時にデータをデコードし、送信時にエンコードする。図７のステップ７５〜８１に示すように、データの一部または全ては暗号化され、データのセキュリティを最大限にして送信時間を最小限にするために、圧縮される。メイントランスピュータ２１は、無線で、またはイーサネットポート及び同軸入力を介して他の装置を接続する内蔵型ルータを有する。
【００７７】
トランスピュータ２１、２２、及びルータ２８ｂは、様々な周波数でデコード及びエンコードするための、１つまたは２つ以上のプロセッサチップ、及び少なくとも３つのモードのテレビ受像機２４、インターネット２４、リアルタイムビデオ、監視カメラ、送信機ならびに電話２５を有する。デフォルト設定では、常に電話モードがオンになっている。リモートコントロールを用いる画面上のグラフィカルユーザインタフェースまたはトランスピュータ上のボタンは、他のモードまたはサービスの種類を選択するために使用される。各種類のサービスは他のサービスとは無関係である。
【００７８】
家庭の無線電話２３、２５からの通話は、セルタワー６１または衛星５９によって電話番号で識別される。電話番号が全てのトランスピュータに設定されているため、家庭の無線電話への通話は全ての部屋の全てのトランスピュータで受信される。
【００７９】
２進法の０値にはある周波数、そして２進法データ形式の１には別の周波数を使用してもよい。
【００８０】
干渉を低減して多数の装置が同時に同じ無線接続を使用できるように、システムは周波数間を頻繁に移行させてもよい。
【００８１】
トランスピュータ２１、２２、及びルータ２８ｂは、ある周波数、またはある範囲の周波数で発信データを送信し、受信データを区別するために、様々な周波数でデータを受信する。トランスピュータ２１、２２は、エンコードする時データに固有のコードを割り当てるが、データをデコードするために送信先で使用されるのがこの固有のコードである。
【００８２】
無線バージョンのパラボラアンテナ２８の動力は充電式太陽光電池である。また一方で、電力、太陽光パネル、またはその他のエネルギーでも、パラボラアンテナを動かすために使用することができる。パラボラアンテナは、センサを用いて低バッテリを検出し、バッテリの交換を伝えるためにテレビ受像機及びコンピュータに信号を送る。
【００８３】
無線衛星放送受信用パラボラアンテナ２８は、トランスピュータに接続するためにトランスピュータのアドレスを受け取り、そしてメモリに記憶する。アドレスは、パラボラアンテナに取り付けられた防水ミニキーボードにより、またはスロットもしくはUSB 等のデータポートを通して外部に接続された装置を経由して入力される。パラボラアンテナは継続的に信号を送信する。
【００８４】
トランスピュータ２２は、パラボラアンテナ２８から信号を受信し、周波数に従って信号をデコードし、その後、テレビ受像機２４、電話２５、ルータ、またはコンピュータ及びファクシミリ機用スイッチ２６などの、トランスピュータに接続された他の電子装置へ信号を配信する。
【００８５】
有線バージョンのトランスピュータ２８ｂ内蔵の無線パラボラアンテナ２８またはメイントランスピュータ２１は、システム識別番号、無線パラボラアンテナ２８またはメイントランスピュータ２１に接続された装置のアドレス及び電話番号等のデータを、識別のためにサービスプロバイダへ定期的に送信する。全てのトランスピュータがアドレス指定され、トランスピュータ上の如何なる起動されたポートも報告されるため、パラボラアンテナが設置されている物理的な所在地、及び有線バージョンの衛星放送受信用パラボラアンテナまたはメイントランスピュータに接続されているトランスピュータまたは装置の数も、サービスプロバイダに送信される。
【００８６】
サービスプロバイダは、遠隔からログインしてトランスピュータ２１、２２を管理し、トラブルシューティング及びソフトウェアのアップグレードを行う。同様にユーザは、録画ビデオ、ファクシミリ、または現在録画中のカメラへアクセスするために遠隔からログインする。
【００８７】
標準の非対話型パラボラアンテナの場合、ワイヤがトランスピュータまで延び、トランスピュータが他のアドレス指定された装置に無線でデータを配信する。
【００８８】
操作
トランスピュータ２１、２２は、回路基板と、少なくとも１つのプロセッサと、オペレーティングシステムと、少なくとも１つの送信機と、少なくとも１つの受信機と、中継器と、データポートと、少なくとも１つのハードディスクドライブと、ランダムアクセスメモリと、クロックと、内部スピーカと、無線信号からのノイズを除去するためのフィルタと、衛星、セルタワー及び／または地上のインターネットとの相互通信を可能にするためにアンテナに接続されたネットワークカードと、を備える。
【００８９】
図１３に示すトランスピュータのシステムボードは、接続ケーブル１７０で結合された小型の回路基板１６８と、それより大型の回路基板１６９から構成されている。片方の基板の誤作動が、もう片方の機能性に影響を及ぼすとは限らない。小型の回路基板１６８は、ネットワーク制御装置１７１及びネットワークスイッチ１７２をホストしている。ネットワークスイッチ１７２は少なくとも３つのスロットを備える。１つ目のスロットは同軸ケーブル接続用のスロット、２つ目のスロットは、ノート型パソコンなど、他の装置を接続するためのローカルエリアネットワークを提供するイーサネット無線接続用のスロット、そして３つ目のスロットは、受信機、送信機、中継器、無線信号用のノイズフィルタ、変調器、及びデータ形式を変換するためのエンコーダと接続するアンテナを用いた、衛星の入出力用のスロットである。データは、同軸ケーブル、HDMIケーブル、USB 、コンポーネント、電話のジャック、及びオーディオなどにより発信されるが、これらに限るものではない。
【００９０】
ネットワークスイッチ１７２の工場出荷時の設定は、あらゆるコンピュータと同じように動くように、無線イーサネットがデフォルトとなる。衛星が利用されている時は、衛星モードが遠隔から起動される。衛星サービスが中断されると、無線イーサネットが自動的に立ち上がる。同軸ケーブルは、ケーブルに物理的につながると直ちに作動する。
【００９１】
大型の回路基板１６９は、遠隔でアップグレードが可能なBIOSがインストールされたフラッシュROM １７３と、ケーブル１７５経由で内部バス１７７内の入出力制御装置ブリッジ１７６に接続された入出力ポート１７４とをホストしている。入出力制御装置はサウスブリッジとしても知られ、また、オンボードグラフィック制御装置１７８、PCI 及び他の拡張スロット１８０を有するPCI バス１７９、及びIDE （ハードディスクドライブ）にリンクされている。
【００９２】
ノースブリッジ１８１も内部バス内に位置し、キャッシュメモリと接続するメモリバス１８２、ランダムアクセスメモリ、及びグラフィックスカードスロットを提供するPCI エクスプレス等の高速グラフィックバス１８３と接続する。ノースブリッジ１８１は、クロック１８５及びマルチプロセッサ１８６を全てのコンポーネントにリンクするプロセッサバス１８４とも接続されている。基板１６８の上に載置されたプロセッサ１８６は任意である。
【００９３】
トランスピュータの回路またはシステムボードは、全てのコンポーネントと電気的に接続し、基板上の小型コンポーネントのほとんどをホストする。内部コンポーネントのいくつかは、デスクトップコンピュータの内部コンポーネントと互換性がある。内部コンポーネントには、電源、ヒートシンク、冷却ファン、コンポーネントバス間のデータのルーティングのためのチップセット、コンポーネントと同期するためのクロックジェネレータ、スピーカ、ハードディスクドライブ、CD及びDVD ドライブまたはブルーレイドライブ、電源コネクタ、IDE （Integrated Drive Electronics）コネクタ、及び他のコネクタが含まれるが、これらに限定されるものではない。
【００９４】
基板は２つのビデオカードスロットを有し、同時に２つのディスプレイを接続することができる。各低電力処理装置（CPU ）１８５は、ヒートシンク及び冷却ファンまたは代わりの冷却システムを有する。１次的なハードディスクドライブはマスタとして設定され、２次ドライブはジャンパを使用してスレーブとして設定される。その他のドライブは、IDE コネクタを用いて拡張カードをインストールすることで追加される。スロットは、シリアルポート、パラレルポート及び他の多機能な入出力制御装置のボードに対応するため、ハーフサイズとフルサイズの両方の拡張基板に対して確保されている。
【００９５】
テレビ回路及びソフトウェアは、 各地域の放送、及びNTSCなどのテレビ標準規格を、非テレビモニタ表示用のVGA またはSVGA等のビデオ標準規格へ変換する。これにより、２つ以上のウィンドウを同時に画面上に表示して、２つ以上のイベントを視ることができる。システムは、設定中に、テレビ受像機またはコンピュータのモニタとして、ディスプレイの種類の選択肢を提供する。
【００９６】
１つの無線カードは、地上の衛星タワー６１、宇宙衛星５９、または建物６２の外に設置されたアンテナと接続する。
【００９７】
同軸入力が付いた第２のイーサネットの無線ネットワークカードは、ケーブルを含む他の如何なるインターネットサービスプロバイダと接続する。ネットワークカードは、接続を可能にするようプログラムされた通信処理チップと共に、回路基板上にインストールされている。ユーザが衛星サービスにアクセスしている間、チップ内の指示により、衛星ネットワークカードが有効になる。サービスプロバイダによってサービスが一旦中断されると、衛星カードは自動的に無効になり、指示によって他のカードが有効になる。チップを通してサービスプロバイダにより有効にされない場合は、他のカードは使用できない。
【００９８】
スピーカアウトレットにより、外部のスピーカの接続が可能になる。外部スピーカは、トランスピュータ２１、２２にインストールされた汎用ビデオカードによって、テレビ受像機及び標準規格のコンピュータのモニタ２４と連動可能になる。トランスピュータ２１、２２は様々な周波数で信号を受信し、対象とする装置に適するようデコードする。トランスピュータ２１、２２は、双方向にデータが流れるようにし、装置の無線ネットワーク化及びマルチデバイス利用のためのアドレス指定を可能にする。トランスピュータは、ブラウザでインターネットと接続してデータを処理するが、また、コンピュータがトランスピュータを通してインターネットに接続することも可能にする。
【００９９】
リモートコントロールは、マウスの左右のボタンが、無線のマウス機能を可能にするように設計されている。ボタンは損傷を防ぐために窪んでいる。リモートコントロールはテレビ受像機のリモコンと似ているが、画面上のキーボード及びグラフィカルユーザインタフェースも制御することができる。
【０１００】
トランスピュータ２２は、電源が入ったときはデフォルトで図１のグラフィカルユーザインタフェースのメニューとなる。一方で、メニューアイコンを含むアイコンを表示した簡素なデスクトップをデフォルトとするよう設定することもできる。
【０１０１】
マルチプロセッサのトランスピュータ２１、２２は、ポート及びデータケーブルを経由してテレビ受像機またはコンピュータのモニタ２４に接続する。マルチプロセッサのトランスピュータ２１、２２は、一度に２つ以上のサービスを同時並行で操作することを可能にする。
【０１０２】
新旧のテクノロジーを適合させるために、トランスピュータのポートには、HDMI、DVI 、VGA 、コンポーネント、USB 、ビデオ、オーディオ及びゲーム機用の同軸ケーブルのポート及びオプティカルポートが含まれる。HDMIポートは、高解像度AV信号を転送するために使用される。一方で、USB は、ハードディスクドライブから録画された内容を転送するなどの機能を可能にする。
【０１０３】
トランスピュータ２１、２２は、双方向のデータの流れを提供するので、全種類のサービスが、テレビ画面上またはトランスピュータ２１、２２に付属する任意のディスプレイ２４上で見られるように処理される。
【０１０４】
無線ネットワーク接続及びインターネットプロトコルなどのアドレス指定を利用して、トランスピュータ２１、２２は、アドレスが入力されているか、ワイヤで物理的にトランスピュータに接続されている他の装置に、無線で受信データを配信する。デフォルトで地上の衛星になっている接続は、トランスピュータまたはTMの位置に基づいて設定される。
【０１０５】
トランスピュータは、ワードプロセッサ及びブラウザを含むアプリケーションのインストールを可能にするため、コンピュータを持たない人が演算機能を実行できると同時に、サービスプロバイダによって操作されるトランスピュータ、またはリモートサーバ内のハードディスクドライブへデータを保存できる。これにより、ユーザは、遠隔的に接続された装置からアクセスし、認証によって処理を視認して管理すると同時に、サービスプロバイダもアクセスして処理に関するサービスを管理できる。
【０１０６】
トランスピュータは、インターネット、テレビ、電話、ファクシミリ及び他のデータのための受信データが、周波数またはフラグに基づいて特定のタイプに分割されるようなデータサービスを提供する。これにより、アドレスがトランスピュータに入力されているコンピュータまたは他の装置、及び、ワイヤまたはイーサネットで直接接続されているコンピュータがインターネットへ接続することが可能になる。
【０１０７】
トランスピュータは、リアルタイムビデオ、ゲーム、またはデータのために確保されているキャシュメモリを利用するため、データはキャッシュにダウンロードされて収容され、ユーザは受信データの代わりにキャッシュされているデータと相互通信できる。これによって待ち時間の問題が軽減される。また、テレビ番組の早送りまたは巻き戻しも可能にする。キャッシュされたデータにより、ユーザが番組開始後に録画を開始する際に、ハードディスクドライブに番組の完全版を録画することが可能になる。これは、各テレビ番組を初めから保存し、必要がなければ番組の終わりに削除することにより実現される。
【０１０８】
プリンタ、ファクシミリ機またはスキャナなど、周辺機器用のドライバは、トランスピュータ２１、２２にプリインストールされ、ドキュメントの印刷、ファクシミリ送信、またはスキャンを行う。ドライバ及び他のソフトウェアは遠隔でアップグレードされ、新しいものがインストールされる。
【０１０９】
サービスプロバイダは、ユーザのためにサーバ上に文書格納域を提供する。
【０１１０】
トランスピュータ２１、２２は画面上にキーボードを有する。一方で、トランスピュータ２１、２２は、トランスピュータと共に使用する外付けのキーボード及び標準規格の無線キーボード用のポートも提供する。
【０１１１】
トランスピュータは、使用される外付けオーディオ装置をつないで再生することを可能にするため、オーディオ入出力装置ポートを提供する。トランスピュータでは、無線装置のアクセスのためにブルートゥース技術が使用可能である。
【０１１２】
設定時、正規のユーザはトランスピュータ２１、２２にアドレスを入力し、デフォルトの国または地域を選択する。居住地または事務所のアドレスには２つの選択肢が提供される。１つは、標準規格のフォーマットの番地、通り、市、州及び郵便番号であり、もう１つは、標準規格化されたアドレスがない場合にテキストボックスとしてアドレスの記述を提供する。
【０１１３】
トランスピュータ２１、２２は、立ち上がり時、装置が設置された国がデフォルトとなる。
【０１１４】
全ての国及び地域は、トランスピュータ２１、２２に予めプログラムされ、当該国で放送される番組とリンクする。各国には数値が割り当てられ、計算時にバイナリ形式に変換される。ユーザが国を選択する時に国を識別するのがこの数値である。同じことが地域にも当てはまる。
【０１１５】
トランスピュータ２１、２２は、テレビ受像機、または進行中の処理を表示するモニタ２４と接続し、ユーザが画面上のメニューまたはキーバッドを使用して国を選択し、選択した国に特化したチャンネルにアクセスすることを可能にする。チャンネルは必要に応じてサービスプロバイダによりアップデートされ、ユーザは視聴中にまたはメインメニューからチャンネルをお気に入りとして保存できる。
【０１１６】
本発明は、ユーザが国または地域を選択する時、選択した国または地域に特定したフィルタリングを施したチャンネルにアクセスできるよう、テレビ放映のデータタイプ、国、及び地域を識別するためにデータパケットにフラグをつけるデジタルテレビを提供する。地域とは二か国以上の国を意味し、また国の中の特定の地方も意味する。地域ではサービスプロバイダが地域特定の広告を挿入することができる。チャネルは、必要に応じてサービスプロバイダによりアップデートされ、テレビガイドに表示される。
【０１１７】
リモートコントロールまたはトランスピュータ２１、２２のボタンを一押しするだけで、ユーザは言語が混在した場合、言語を選択できる。ユーザは、言語を選択する際に、設定を変える、番組を受信する国を選ぶ、またはリセットしてデフォルト設定にすることが可能である。言語はメインメニュー１８からも選択できる。
【０１１８】
グラフィカルユーザインタフェースは、トランスピュータ２１、２２上で使用され、トランスピュータが提供する７つの機能の全てを操作するために、トランスピュータ２１、２２に接続したテレビ受像機またはモニタ２４に表示される。各機能、すなわち、テレビ、インターネット、電話、ファクシミリ、リアルタイム対話型ビデオ、送信機及び監視カメラは、専用のグラフィカルユーザインタフェースを有する。メインメニューにはGUI をアイコンに変えるコンピュータモードがある。トランスピュータのソフトウェアは、デフォルトがGUI 、またはアイコンが付いたコンピュータになるよう構成される。
【０１１９】
電話の画面上のキーパッドインタフェースの連絡先番号は、トランスピュータ２１、２２のファクシミリ連絡先と同じアドレス帳に地域別に保存される。一方で、この連絡先番号は、プロバイダのサーバと自動または手動で同期されるよう設定できる。アドレス帳は、ラジオボタンで選択できる４つの表示を含む。これらは、仕事、個人、その他全てである。連絡先情報には、次のいずれかの組み合わせが含まれる。姓、名、電子メール、住所、電話番号、ファクシミリ番号、勤務先及び肩書きである。
【０１２０】
グラフィカルユーザインタフェースは、電話を起動することが選択された場合、または着信電話があった場合、トランスピュータ２１、２２からロードされる図８の電話のキーパッドを表示する。また、トランスピュータ２１、２２に接続されたテレビ受像機またはモニタ画面２４上にも表示する。このキーパッドは、トランスピュータに保存された連絡先の入力を可能にする。一方で、このキーパッドは、バックアップのため、定期的にサービスプロバイダのサーバと同期する。また、全ての電話機能に使用される。
【０１２１】
ユーザは連絡先を選ぶことができ、番号を選んで、通話を選んでもよいし、また必要なら打ち込んでもよい。同様に、ユーザは発信呼、着信呼または不在着信呼から番号を選んでもよい。
【０１２２】
着信呼は、着信電話番号を示す図９のポップアップ１２２を提供し、応答するかキャンセルするかの選択肢を与える。一度キャンセルされると、その番号は不在着信呼のログの下に現れる。不在着信呼、着信呼及び発信呼のログから番号をハイライト表示し、通話を選択するか連絡先に追加することができる。同様に、番号上で右クリックしてメニューに行けば、連絡先に追加できる。
【０１２３】
通話が地域内または長距離の通話であるかを判断するために、ソフトウェアはトークン化された文字列によって国コードを考慮する。通話が長距離の通話であれば、ユーザは長距離通話時間を購入するよう勧められる。
【０１２４】
緊急電話番号用に使用されるアドレスの変更は、画面上のキーパッド電話インタフェースを通して処理される。これによりサーバ上のアドレス変更の手続きをする顧客サービスに通知する。
【０１２５】
トランスピュータ２１、２２は夫々、際立った特徴として、トランスピュータ内にプログラムされた電子シリアル番号を備える。また、トランスピュータ２１、２２は、ネットワーク化のために、インターネットプロトコル（IP）などのアドレスを得る。電話番号もトランスピュータ２１、２２と接続する。
【０１２６】
電話線２３、２５は夫々、話すためと聞くために、少なくとも２つの周波数を使用する。
【０１２７】
トランスピュータ２１、２２と接続する電話２３、２５は、トランスピュータを介してダイヤルアウトし、メイントランスピュータ２１がサービスプロバイダによって特定される。更に、他の電話に対して識別するために電話番号も表示される。
【０１２８】
ファクシミリソフトウェアは、ファクシミリを受信して、当該ファクシミリをハードディスクドライブの受信ファクシミリフォルダにファイルとして保存する。ファクシミリは、トランスピュータに接続されたどの画面からも見ることができ、またユーザの設定及び選択に応じて、外部に接続されたプリンタまたはファクシミリ機へ印刷することもできる。ファイルは、スキャナからファクシミリソフトウェアの送信ファクシミリフォルダに送られる。ハードディスクドライブに保存されたファイルは、右クリックまたはファクシミリソフトウェアのメニューを使って送信ファクシミリフォルダに移される。その後、ファクシミリソフトウェアが送信ファクシミリファイルから読み込む。
【０１２９】
ファクシミリを受信すると、ポップアップウィンドウが現れてユーザに新しいファクシミリを通知する。これは、テレビ受像機または他のディスプレイ２４の電源がオンにされている時に起こる。このポップアップウィンドウは、ユーザがポップアップウィンドウを閉じるか、またはファクシミリに応対するまで消えずに残る。ユーザは、印刷するか、読み込むか、保存するか、または確認の上削除するかを選べる。
【０１３０】
ユーザがリモートコントロールまたはトランスピュータ２１、２２上のファクシミリを押すと、保存されたファクシミリの全てはリストに現れる。ファクシミリは自動的に日付順に並べられ、興味のある日付及びファクシミリ番号へスクロールできる。電話システムのように、連絡先ファクシミリ番号も保存され、ハイライト表示をしてからファクシミリ送信を選択し、ファクシミリを送信するために使用することが可能である。
【０１３１】
ファクシミリは、ファクシミリ番号、氏名、会社または日付によってソートされて検索される。また、ファクシミリへは遠隔からアクセスでき、何時でもデジタル方式で転送できる。
【０１３２】
ユーザは、ファクシミリが届く度に、メニューを利用して直接ファクシミリ機またはプリンタへ印刷し、一方でコピーをハードディスクドライブにファイルとして保存するようファクシミリソフトウェアを設定する。ファクシミリソフトウェアは、新たに受信したファクシミリのリマインダとして、ポップアップウィンドウが定期的に現れることが出来るように設定できる。
【０１３３】
トランスピュータ２１、２２の電源がオフの時、着信ファクシミリはプロバイダのサーバに保存される。トランスピュータ２１、２２の電源がオンにされると、ファクシミリのサーバに通知され、ファクシミリはトランスピュータ２１、２２に送られる。
【０１３４】
着信ファクシミリは、ファクシミリ受信フォルダの中のファイルとしてトランスピュータ２１、２２上に存在し、送信ファクシミリはファクシミリ送信フォルダに保存される。ユーザは、モバイル装置で何処からでもログインし、トランスピュータ上のドキュメントを手に入れることができる。ドキュメントはファクシミリのサーバとも同期する。
【０１３５】
複数のファクシミリ番号は着信したファクシミリを個別に受信する。一方で、複数のファクシミリ番号は簡単なコードで１つのファクシミリ番号にリダイレクトするよう設定することも出来る。例えば、以下のように設定することも出来る。
【０１３６】
全ての着信ファクシミリについて実行（For all incoming faxes Do）
サーバでファクシミリを受信（Receive fax at server）
対象とするファクシミリ番号に関連する有効性及び番号についてのデータベースをチェック（check database for validity and numbers related to the intended fax number,）
ファクシミリ番号が有効である間（While fax number is valid Do）
ファクシミリ番号はリダイレクション番号を割り当てられているか？（Is the fax number assigned a redirection number?）
“はい”の場合、リダイレクション番号を新しい番号として挿入（If yes, insert redirection number as new destination number）
ファクシミリをリダイレクション番号に送って配信確認（Send fax to the redirection number, confirm delivery）
そうでなければ、ファクシミリを入力された元の番号に送って配信確認（Else send fax to original number entered, confirm delivery）
そうでなければ、エラーアウト、ファクシミリ番号は無効、そして終了（Else error out: the fax number is invalid End）
【０１３７】
ポート及び無線接続性により、印刷及びその他の接続が全てトランスピュータで使用できる。ブルートゥース技術はブルートゥース装置に対して有効である。
【０１３８】
トランスピュータ２１、２２、及びルータ２８ｂは、電気が使えない時に操作ができるように、バッテリのバックアップを備えてもよい。これにより、緊急時の電話の利用が可能になる。
【０１３９】
２次的なトランスピュータ２２は、電源が入れられると、その識別番号とアドレスをメイントランスピュータ２１に提供する。
【０１４０】
パラボラアンテナ１９に接続されたメイントランスピュータ２１に電源をいれると、メイントランスピュータ２１は、その記憶部にアドレスがある装置からの応答を求める。メイントランスピュータ２１にアドレスがなく、通信周波数範囲が異なる装置は、サービスを受けるための認証がされない。その後、このメイントランスピュータ２１は２次的なトランスピュータ２２に無線で信号を配信する。２次的なトランスピュータ２２は、テレビ受像機２４、電話２５、及びコンピュータのルータまたはスイッチ２６にもデータを供給する。同様に、トランスピュータはセルタワー６１、宇宙衛星５９及び他の送信先にデータを送信する。
【０１４１】
メイントランスピュータ２１は建物内において無線で他のトランスピュータ２２とデータを交換する。一方で、テレビ受像機、電話、及びその他の装置は、トランスピュータまたはその他のトランスピュータ２２と、ワイヤを使用して直接接続されてもよい。
【０１４２】
図３に示すように、無線バージョンの衛星放送受信用パラボラアンテナを使用するトランスピュータ２２は、中継器（図示せず）と、セルタワーへ信号を伝搬することを可能にする低度のデータ送信のための低電力の送信機、及び宇宙衛星への送信を可能にする高電力の送信機の両方とを有してもよい。１つまたは両方の送信機は、電波またはマイクロ波を使用してもよい。
【０１４３】
トランスピュータ２１、２２及びルータ２８ｂに組み込まれた送信機は、３〜３０MHzの短波及び３０MHz を超える短波の仕様で構成され得る。
【０１４４】
トランスピュータ２１、２２は、電話、コンピュータ、ファクシミリ機、または内部もしくは外部のルータ２６を用いたハンドヘルドなどの装置からの発信データを受信する。トランスピュータ２１及びルータ２８ｂは、必要に応じてデータをエンコード、増幅、そして暗号化し、また図６に示すように、セルタワー６１、宇宙衛星５９、または最終の送信先へデータを更に伝搬する他の媒体へ、データを送信する。
【０１４５】
トランスピュータ２１及びルータ２８ｂは受信データを受信、デコード、増幅、そして前述の通り、図４に示すステップ２９〜４６を通して近くのユーザ装置へ受信データを配信する。
【０１４６】
トランスピュータ２１、２２は、最後に視聴したテレビチャンネルをキャシュメモリにキャッシュし、ユーザがテレビをつけるか、または別のチャンネルに変えた後で元に戻りたいと思う時には何時でも当該テレビチャンネルを提供する。
【０１４７】
トランスピュータ２８ｂ及びメモリ内蔵の無線衛星放送受信用パラボラアンテナ２８はサブネットとして機能し、アドレスがトランスピュータ内に保存されている第２の機器へアドレスを提供する。
【０１４８】
有線バージョン２１において、ルータ２８ｂ及びメイントランスピュータ内蔵の無線パラボラアンテナ２８は無線アクセスポイントのように作動し、アドレスがメイントランスピュータ内に記憶され、かつ通信周波数範囲が特定されているトランスピュータ２２などの第２の電子装置へ信号を配信する。その後、アンテナは、２次的なトランスピュータ２２へデータを送信する。２次的なトランスピュータはユーザ装置とデータを交換し、無線衛星放送受信用パラボラアンテナ２８を通さずに、セルタワー６１、宇宙衛星５９、またはその他へ直接送信する。
【０１４９】
前述の図５に示すステップ４７〜５８のソフトウェアの指示により、信号が何らかの理由で消失した場合、テレビ受像機のリモートコントロールは、システムをリセットするか、またはトランスピュータ／テレビの組み合わせをボタン一押しで衛星モードに戻るよう指示される。これは、リモートコントロールの通常の機能に付加する。トランスピュータのボタンも同じことを遂行する。リモートコントロールはコンピュータ機能を制御する内蔵型マウスを有する。
【０１５０】
トランスピュータ２１、２２は、分析及び記憶用の環境データをダウンロードするために、環境データ配信の送信機と連動するよう設計される。
【０１５１】
トランスピュータ２１、２２、及びルータ２８ｂは、図４のステップ３４〜４３に示すように、２つ以上の周波数範囲、固有のアドレス、システムの識別番号及び電話番号の組み合わせがアクセスを阻止するよう、内蔵型セキュリティを有する。
【０１５２】
サービス、テレビ、電話、ファクシミリ、ビデオ、及びデータは夫々、使用中の虞がある他サービスを妨げずに特定のサービスを処理するための専用チップを有してもよい。異なるデータセットを処理するために、各チップが特定の範囲の周波数を受信するように、ワイヤが回路基板から各プロセッサチップをアンテナへ接続する。
【０１５３】
５つのプロセッサを有するトランスピュータ２１、２２は、少なくとも５つのデータ送信ワイヤを備える。ワイヤは夫々、特定のプロセッサに接続され、処理時間を短縮して異なるサービス同士の干渉を防ぐ。受信データは、発信データと区別するためにフラグをつけられる。一方で、様々な装置を対象としたデータは周波数で区別される。フラグは２進法の０と１の組み合わせでもよい。
【０１５４】
「００」などのビットは電話データを表し、「０１」はテレビ、「１０」はインターネットそして「１１」はファクシミリでもよい。接続されると、ユーザが利用したいサービスを選ぶためにメニューが表示される。
【０１５５】
暗号化は、データがサービスプロバイダによって宇宙衛星５９またはセルタワー６１へ発信される時、あるいは前述した図７のステップ７５〜８０に示すように顧客のトランスピュータレベルで行われる。また、復号化は顧客レベルで行われる。しかし、より速い処理のためにデータを全く暗号化しないオプションもある。
【０１５６】
アンテナ１９、２７は夫々、１つ以上のワイヤを持つホーンを有し、信号を集め、また、フィルタリングを施して単に特定のサービスを対象とした周波数の範囲を抜き出すことで、対象のサービスを担当するチップへ信号を向ける。
【０１５７】
１つ以上のタイプのサービスを処理するプロセッサチップのために、トランスピュータはデータパケットのヘッダを見て、ソフトウェアの指示によって、どの種類のサービスを受け、どの装置へ流すかを決定する。
【０１５８】
アンテナ１９、２７は、容易に信号を受信できる屋外に設置される。これには建物の屋上も含まれる。
【０１５９】
パラボラアンテナは、船、ボート及び他の動く船舶の上に設置される場合があるため、常に衛星が最高品質の信号を求めて向いている方向に自動的に回転する。回転は、常に北を指すコンパスと、所望の方向へパラボラアンテナを向けるセンサを利用して行われる。
【０１６０】
中継器は、トランスピュータ２１、２２に組み込まれて信号を増大させ、セルタワー６１、宇宙衛星５９及び建物内の他のトランスピュータへのデータの伝搬を可能にする。ルータ２６及び他のユーザ装置はトランスピュータに接続される。
【０１６１】
トランスピュータ２１、２２は、HDMIなどのポート経由で接続された外部のハードディスクドライブへの受信データの記録を可能にする。ドライブは、記録時にドライバソフトウェアを用いることで選択できる。その後、ハードディスクドライブはコンピュータにつながれ、映像が操作される地域で互換性のある態様で他の記憶媒体へデータを送信する。リモートコントロールまたはトランスピュータのボタンを使って、トランスピュータのドライバソフトウェアは、ドライバの選択肢を与え、記録後に変更可能な、NTSCやPAL など地域によって異なる再生方式で録画することができる。
【０１６２】
録画メニューは、リモートコントロールまたはトランスピュータ上での手動により、マニュアル及び録画予約を提供する。その後、ユーザは、録画物をあらゆる製造メーカーのVCD ／DVD ／ブルーレイなど取り外し可能な媒体へ転送し、ドライブをクリアにできる。
【０１６３】
データを記憶するために複数のハードディスクドライブをトランスピュータにつなげられるように、トランスピュータ２１、２２は数個のデータ入出力ポートを備えて作られる。各ドライブは、内部ドライブの代わりに、長時間録画用としてある特定の監視カメラ、ロケータ、環境データ送信機またはビデオ番組を記録してもよい。ユーザは、アドレス指定されたトランスピュータにログインすることにより、インターネット経由で遠隔から記録したデータへアクセスする。
【０１６４】
外部のデータ記録用のハードディスクドライブは、取り外し可能な他の記憶媒体へデータを転送するために、記録後、コンピュータ、またはコンピュータと同様の装置につながれ得る。
【０１６５】
トランスピュータ２１、２２により処理されるデータセットには、受信テレビ番組、監視カメラからの受信ビデオ／オーディオ、環境データ配信などの常駐送信機からの受信データ、飛行機及び船舶のロケータなどのモバイル送信機、受信／発信ファクシミリ及び電話のデータ、そしてインターネットプロトコルによるリアルタイムビデオが含まれる。
【０１６６】
トランスピュータ２１、２２は、インターネットへの接続を容易にしてサービスの遠隔管理を提供することができるインターネットプロトコル（IP）などの固有のアドレスにより識別される。
【０１６７】
トランスピュータ２１、２２は内部に固有な識別子も有する。メイントランスピュータ２１、２２は、全ての機能を備えて製造される。一方で、２次的なトランスピュータ２２は、必要とされるサービスに応じて縮小される。顧客がサービスを受けるためには、衛星のテレビ、家庭用の無線電話、無線ファクシミリサービス、リアルタイムビデオ交換、監視カメラのビデオ／オーディオ、送信機の取り込み／ロケータ、及びコンピュータデータの少なくとも１つのサービスがトランスピュータで利用可能でなければならない。
【０１６８】
周波数の範囲は、下記の通り各データタイプに対して設定される。ここでは周波数範囲はアルファベットで記号的に表される。一方で、製品は数字で表される。テレビはａａ-ｂｂ、電話はｃｃ-ｄｄ、コンピュータデータはｅｅ-ｆｆ、ファクシミリはｇｇ-ｈｈ、監視カメラはｉｉ-ｊｊ、送信機はｋｋ-ｌｌ、及びリアルタイムビデオはｍｍ-ｎｎで表わされる。
【０１６９】
番組に挿入された広告は、開始と終了の場所を示すためフラグをつけられる。ソフトウェアは、広告の開始及び終了のフラグを使って録画物に広告を含めないことで広告がない録画を可能にする。これは簡単なソフトウェアの指示によって遂行されることが可能である。例えば、以下のように設定することが出来る。
選択されたプログラムが終了していない間は録画（while not end of selected program, record.）
広告の開始のフラグが立った場合（If advertisement beginning flag is reached,）
広告のフラグが終了するまで録画ブロックをスキップ（skip recording block until end of advertisement flag.）
新しいブロックに広告のフラグが存在しない場合、録画を継続（If new block has no advertisement flag, continue recording）
終了（end.）
【０１７０】
トランスピュータ２１、２２は、ＶＩＶＯ（video in video out）インタフェース及びＡＩＡＯ（audio in audio out）インタフェースの他に汎用シリアルバス及び高解像度マルチメディアインタフェースなどのポートを通して、内蔵型ハードディスクドライブに記録されたデータを他の媒体に転送する。
【０１７１】
コンピュータに直接記録することは、単にケーブルだけ、またはコンピュータをトランスピュータのイーサネットポートにつないでローカルネットワークの一部にするだけで、可能になる。
【０１７２】
トランスピュータミニ（TM）は、インターネットプロトコル（IP）などの埋め込まれたアドレスを利用する小型のモバイル装置であって、衛星及び地上の無線アンテナと通信し、ユーザ装置へ無線接続を提供する。超小型のTMは、無線でアップグレードされ、アドレスは無線接続によって変更される。別バージョンのTMは、キーへの損傷を防ぐために、表面が窪んだ超小型のキーバッドを備えて作製される。このキーバッドは、IPアドレスなどのデータを入力するために使用される。TMは８×４×２ｃｍより小さく、最大で３つのデータポートを有する。
【０１７３】
TMは、衛星または地上の無線アンテナを経由して、コンピュータ及びテレビ受像機などのユーザ装置を衛星プロバイダへ無線で接続し、インターネット、テレビ、ファクシミリ及び電話などのサービスを提供する。また、TMは、高解像度マルチメディアインタフェース（HDMI）、汎用シリアルバス（USB ）及びネットワークスロットなどのAVポートが付いた何らかの装置にもつながれ、サービスプロバイダと装置の間でデータが転送される。
【０１７４】
TMを装置のポートにつなぐ時、TMは、構成に応じて衛星または地上の何れかのアンテナにＴＭ自身のアドレスを送信する。衛星は、ＴＭとの接続を確立する制御センターにアドレスを発信する。
【０１７５】
USB またはHDMIなどのポートによって電力がＴＭに供給される。一方で、電気コンセントによって外部から電源がTMに供給されてもよい。
【０１７６】
TMは、コンポーネントを備えた回路基板に接続された、変調波を放射するためのアンテナを含む。振動発生装置は電力を所定の周波数の振動へ変換し、増幅器は振動の強度を増加させ、変換器は送信される情報を連続する瞬時強度の各々に比例して変動する電圧に変換する。変調器は振動強度またはプロバイダの瞬時周波数の変動を制御するために使用される。送信された情報にはインターネット、ファクシミリ及び電話のデータが含まれる。一方で、受信データには当該データの全てにテレビ受像機、カメラ及び送信機のデータが加わる。
【０１７７】
アンテナはデータを電磁波として受信し、電気振動へ変換する。検出機器が復調し、発信器は到来波と混合可能なラジオ波を発生させる。
【０１７８】
TMは、送信と受信を同時に行うために、全二重無線を使用して製作される。サービスのタイプを区別するために様々な周波数が使用される。１つ以上のプロセッサチップが、テレビ受像機、ファクシミリ及び電話のデータを処理するために制御ロジックで使用される。TMはインタフェースソフトウェアと連動して、１つ以上のサービスを同時に提供するマルチタスキング処理を可能にする。必要ならば、TMは接続性を増強するために外部のアンテナと連動する。
【０１７９】
TMのソフトウェアは、ユーザの装置の画面で見られるグラフィカルユーザインタフェースを有する。また、ユーザの詳細情報の登録を可能にし、登録する際に、サービスにアクセスするために何処からでも使用できるインターネットプロトコルなどの静的アドレスを取得する。
【０１８０】
TMはそれ自身のアドレスを取得する。一方で、アドレスがトランスピュータのフルサービスの一部として使用される場合、当該アドレスは、サービスを一時的に別の場所へ転送できるように、メイントランスピュータのアドレスと関連付けられている。このような場合、１つのアカウントが、追加料金の有無を問わず常駐トランスピュータ同様、モバイルTMの接続も認証してもよい。
【０１８１】
各アカウントは、複数のインターネットアドレスを認証する。認証サーバ上のアドレスを収容しているデータベースでは、各アドレスの列に対応する列があり、アドレスが転送可能か否かを示すインジケータが付いている。この情報は、サービス利用者がサービスの種類について要求した時に入力される。また、グラフィカルユーザインタフェースを介して顧客サービスステーションのデータベースに入力される。
【０１８２】
認証スクリプトは、データベースを読み込み、アドレスが持つ接続のタイプを判断する。サービスの条件に応じて、１つ以上のアドレスが一度に認証される場合がある。
【０１８３】
デフォルトのインターネットアドレスを使用して、TMは、ユーザの機器にソフトウェアをダウンロードすることを可能にし、設定及び全機能を有効にする。ソフトウェアをダウンロードするためには、着信データはユーザの装置上のオペレーティングシステムの種類を読み込み、インストールするパッケージを決定する。これは、OSがWINDOWS （登録商標）の場合（if OS = win）、WINDOWS のバージョンをインストール（install win version）、OSがLinux （登録商標）の場合（if OS = Linux）、Linux のバージョンをインストール（install Linux version）、ＯＳがＸの場合（if OS = X）、OSが他の場合を除いてＸバージョンをインストール（install X version else if OS= other）、他のバージョンをインストール（install other version）などの単純なコードで実行される。
【０１８４】
デフォルトのアドレスは、プロバイダとの通信を許可するだけで、サービスを提供しない。同時に２つのボタンまたは隠しボタンを使用してリセットすると、装置が接続されていない場合は装置に接続する。
【０１８５】
TMが電源の入ったコンピュータ、テレビ受像機またはモバイル機器につながれて、ソフトウェアがインストール及び設定されると、デフォルトのインターネットアドレスは、設定が提出される際に静的アドレスに置き換えられる。新しいアドレスは、サーバ上のユーザの詳細情報にリンクされる。トランスピュータミニをポートにつないだ時点で、トランスピュータミニは自動的に接続してユーザを認証する。接続の度に装置の場所が衛星に送信されてユーザに提供される一方で、ユーザは場所を無効にするオプションを有する。
【０１８６】
インターネットのユーザのためのトランスピュータ認証サーバは、IPなどのアドレスに基づいてユーザを認証する。認証後、装置はすべてのサーバの機能性と関連性の表を格納する制御サーバに接続される。選択に応じて、ユーザがテレビを選択した場合、制御サーバは選択された特定のチャンネルを実行するサーバにユーザを導く。ユーザがチャンネルを変更した場合、制御サーバは、当該サーバから新しく選択されたチャネルを実行する別のサーバへユーザ装置を切り替える。ユーザが電話機を選択した場合、制御サーバはVOIPサーバへユーザを導き、ユーザがファクシミリを選択した場合、サーバはファクシミリサーバにユーザを導く。
【０１８７】
衛星と通信する常駐トランスピュータは、当該トランスピュータに電源が入った時に認証される。接続が確立され、接続が有効な間はデータが交換される。テレビのデータパケットはチャンネルによって識別される。すべてのチャンネルは同時に受信される。一方で、データパケットのフラグに基づくチャネルを使用可能にするリモートコントロールまたはトランスピュータのボタンを用いて、一度に１つのチャンネルが有効になる。キャッシュメモリは、いつでも使用することができる一時的なデータを格納するために使用される。
【０１８８】
任意のコンピュータ、テレビ受像機またはモバイル装置と、インストールされたTMのソフトウェアとを使用して、ユーザ装置と共にTMはテレビ放送を受信し、HDMIなどのポートを介してディスプレイに当該テレビ放送を送信する。TMのもう一方のポートは、延長ケーブル付き電話などの異なるデータタイプのために同時に使用することができる。
【０１８９】
TMを無効化、有効化またはアップグレードするために、TMアドレス、TMの識別番号またはその両方で、衛星を介して遠隔管理が実行される。
【０１９０】
TMが無効になっているとTMアドレスがフラッシュされ、プロバイダのカスタマーサービスまたはテクニカルサポートへの連絡だけに使用するために、デフォルトアドレスが有効になる。
【０１９１】
トランスピュータのサーバは、認証、制御、及びサービスの提供のために使用される。
【０１９２】
インターネットに接続された装置を持つサービス利用者が、インターネットサービスプロバイダからブロードバンドサービスを受ける場合、当該サービス利用者は、既存のインターネット接続に加えてテレビ、電話及びファクシミリを含む他のサービスを受ける。
【０１９３】
図６のデータソース６０ａは、衛星５９、セルタワー６１、サーバ６０ｂまたはローカルアンテナ６２へのすべてのデータソースを表す。データソースには、テレビ局からのテレビデータ、送信機、監視カメラ、船舶や飛行機、及びケーブル経由のインターネットからのデータが含まれる。トランスピュータサーバ６０ｂは、ケーブルを介して地上の筐体内の無線送信機及び受信機に接続する。また、筐体は、ケーブルを介してタワーの上のアンテナにも接続する。データは放送用の衛星に発信される。
【０１９４】
トランスピュータサーバはケーブル６０ｃによってインターネットに接続され、データを送信及び取得し、ユーザを認証し、データフローを制御する。サーバは、データを受信して衛星に発信するサーバとネットワーク接続され、すべてのソースからデータがストリーミングされる時に同じデータを共有する。
【０１９５】
サーバ６０ｂは、データサーバ、制御サーバ及び認証サーバに分けられる。テレビ番組を実行しているデータのサーバは夫々、１つのチャンネルだけを実行する。すべてのチャンネルの過負荷をカバーするために、バックアップ及び冗長サーバはバックグラウンドで作動する。
【０１９６】
認証サーバは、顧客の詳細情報及び顧客装置のアドレスと共に、サーバを制御するためのリファレンスを保持する。トランスピュータの認証サーバは、インターネットプロトコル（IP）などのアドレスに基づいてユーザを認証する。認証後、装置は制御サーバに接続される。
【０１９７】
制御サーバは、すべてのサーバ機能とデータサーバに対するリファレンスとの表を格納する。選択に応じて、ユーザがテレビを選択した場合、制御サーバは選択された特定のチャンネルを実行するサーバにユーザを導く。ユーザがチャンネルを変更した場合、制御サーバは、当該サーバから新しく選択されたチャンネルを実行する別のサーバにユーザ装置を切り替える。ユーザが電話機を選択した場合、制御サーバはVOIPサーバにユーザを導き、ユーザがファクシミリを選択した場合、制御サーバはファクシミリサーバにユーザを導く。
【０１９８】
データサーバは、テレビ、ファックス、電話を含む最新のプログラミングの全てを収容する。ユーザデータグラムプロトコル（UDP ）、TCP （Transmission Control Protocol）及びSkyXアクセラレータなどのトランスポートプロトコルは、データ送信のために使用される。UDP はデータ放送及びマルチ放送に使用することができる。１つ以上のビットがUDP データグラムに追加されるか、または認証されない装置が使用できないよう除去された後、当該ビットはUDP データグラムに再追加される。TCP はUDP からデータを取得する前に、インターネットプロトコルを介した接続を確立する。
【０１９９】
フローを制御して送信先での並べ替えを可能にするために、シーケンス番号が各UDPデータパケットに提供される。修正されたUDP プロトコルは、データのセキュリティに追加する。一方で、IPヘッダは送信しない場合がある。
【０２００】
発信元と送信先を特定し、データの流れを特定のプロセッサ及び装置に向けるために、各データタイプは独自のポートを使用する。パケットはIPヘッダ、TCP ヘッダ及びTCP データを含むIPデータグラムとして送信される。
【０２０１】
トランスピュータ及びTMに接続された装置上のアプリケーションは、着信データを待ち受ける。テレビ番組などの非対話型データは、より早く配信するためにUDP プロトコルを利用することができる。データパケットのフラグを使用して、アプリケーションは、確実にパケットを順番にソートし、重複するものを破棄する。最初に、パケットはキャッシュメモリに格納され、送信先に送信する前にソートされる。プログラムが終了しない内は、ソートアプリケーションが受信データグラムを読み取り、以下のようなコードでソートする。
フラグが開始、終了（Flag = start, end;）
ＩｎｔポートがＪＫＫＺ（Int port = JKKZ;）
データを受信及び宛先ポートをチェック（ポートがデータのタイプ及び宛先を判定）（Receive data and check destination port (port determines type of data and destination)）
ポートのキャッシュ場所内にデータをバッファ（Buffer data in the port’s cache location）
順番にパケットを読み込む（read packets in order）
開始パケットが読み込まれた場合、パケットを処理（if start packet is read, process packets）
ポートＪＫＫＺのプログラム内のパケットが終了しない間は実行（While not end of packets in a program for port JKKZ Do）
シーケンス番号を使ってソート及び並び替え（先出しの最初のグループ）（Sort and reorder using sequence number (first group in first out)）
重複を削除（Delete duplicate）
圧縮する前の状態に戻す（Uncompress）
配信データをクリーンにするように余分なビットを除去（Remove extra bits to clean data for delivery）
データをキャッシュ（Cache data）
テレビに配信（Deliver to television）
終了（End ）
終了（End ）
次のプログラム（Next program）
【０２０２】
対話型データ及びインターネット上のデータは、様々なネットワーク上のマキシマムトランスミッションユニットの問題を克服し、IP認証を強化するためにTCP を使用してもよい。
【０２０３】
地上のインターネットと衛星は常に同じデータを提供する。既に他の企業からインターネットサービスを受けているユーザは、インターネット接続以外の他のサービスを利用する。トランスピュータまたはTMを使わずにテレビ、ファクシミリ及びその他のサービスを得るために、ユーザは、静的アドレスを使ってブロードバンドインターネット接続を利用する。グラフィカルインターフェースソフトウェアがダウンロードされているオペレーティングシステムを搭載した任意の装置を使用してアクセス権を取得するために、ユーザのアドレスは認証サーバにログインされる。
【０２０４】
ユーザがテレビ受像機のチャンネルを切り替えた時、ユーザは、以下と同様の疑似コードに基づいて特定のチャンネルを再生するサーバへリダイレクトされる。
パッケージ内のチャンネル選択が終了していない間、チャンネルを選択、（While not end of channel selections in package; select channel,）
選択されたチャンネルが３の場合、チャンネル３を再生するサーバに切り替え（if selected channel = 3, switch to server running channel 3）
選択されたチャンネルが４の場合、チャンネル４を再生するサーバに切り替え（if selected channel = 4, switch to server running channel 4）
選択されたチャンネルがｎの場合、チャンネルｎを再生するサーバに切り替え、終了（if selected channel = n, switch to server running channel n; end）
【０２０５】
このシステムにより、ユーザは、再生時かまたはメインメニューから、お気に入りフォルダにお気に入りのチャンネルを追加することができる。お気に入りフォルダにチャンネルを追加するために、リモートコントロールとトランスピュータにはボタンが備えられている。確認メッセージが表示され、リモートコントロールのENTER ボタンを押して追加を確認する。チャンネルがお気に入りフォルダ内にすでに存在する場合は、確認メッセージは削除を確認するように求める。メインメニューを使用してお気に入りからチャンネルを削除するには、チェックボックス及びスクロールボタンが１つ以上の削除のために使用される。全てを選択し、お気に入りリスト内のすべてのチャンネルに対応するチェックボックスにチェックマークを記入する。ユーザは、削除する前に確認するように促される。
【０２０６】
このシステムでは、テレビ番組は、フラグを使用してデータソース及びデータのタイプを識別する。その後、当該テレビ番組は、識別フラグを使用して特定の地域用にデータをカスタマイズする。これは、テレビのデータタイプ用には、「時刻が午後２時３０分で場所が０２２５７の場合、当該場所でのプログラミングを中断して特定のタイプのデータまたは広告を挿入（If time = 2:30 pm and location = 02257, pause programming in that location and insert a special type of data or advertisement）」などの単純なコードによって実現される。「02257 」など位置の名前は、夫々テーブルで定義される。
【０２０７】
本発明は、衛星、複数のプロバイダからの地上のインターネットサービス、及びテレビサービス、インターネットサービス、音声、ファクシミリ、リアルタイムのビデオ交換、カメラサービスならびに送信機にアクセスするための接続性を提供するモバイル装置を組み合わせて、便宜上、一つのパッケージにする。トランスピュータは、宇宙衛星のセルタワーと地上のインターネットサーバと連動する。
【０２０８】
したがって、上述した発明の実施形態が発明の原理に適用する際に単に例示されている実施形態にすぎないことは理解されるべきである。例示された実施形態の詳細をここで参照することは、発明に不可欠な要件を記載している特許請求の範囲を限定することを意図していない。
【図１】
2013530553.tif 000003
【図２】
2013530553.tif 000004
【図３】
2013530553.tif 000005
【図４】
2013530553.tif 000006
【図５】
2013530553.tif 000007
【図６】
2013530553.tif 000008
【図７】
2013530553.tif 000009
【図８】
2013530553.tif 000010
【図９】
2013530553.tif 000011
【図１０】
2013530553.tif 000012
【図１１】
2013530553.tif 000013
【図１２】
2013530553.tif 000014
【図１３】
2013530553.tif 000015
【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
少なくとも１つの地上のサービスプロバイダ及び少なくとも１つの衛星のサービスプロバイダから複数の補助装置へ信号を配信するシステムであって、
衛星またはセルタワーに接続するための無線パラボラアンテナと、
前記無線パラボラアンテナに接続された無線アクセスポイントと、
前記無線アクセスポイントに接続されたトランスピュータとを備え、
前記トランスピュータは、
回路基板と、
該回路基板上に載置された少なくとも１つのプロセッサと、
該プロセッサを動作させるためのオペレーティングシステムと、
前記補助装置へ送信するために前記プロセッサに接続された少なくとも１つの送信機と、
前記補助装置から受信するために前記プロセッサに接続された少なくとも１つの受信機と、
前記プロセッサに接続された中継器と、
前記プロセッサに接続された複数のデータポートと、
前記プロセッサに接続された少なくとも１つのハードディスクドライブと、
前記プロセッサに接続されたランダムアクセスメモリと、
前記無線アクセスポイントに接続され、衛星、セルタワー及び／または地上のインターネットとの相互通信を可能にする少なくとも１つのネットワークカードを含む、前記複数のデータポートに接続された複数のネットワークカードと、
を備え、
前記トランスピュータは、複数の周波数における信号を処理し識別するための処理チップをさらに備え、各周波数は前記複数の補助装置のうちの１つと関連付けられていることを特徴とするシステム。
【請求項２】
前記少なくとも１つの地上のサービスプロバイダは、前記セルタワーを通じてアクセスされるインターネットサーバで構成されることを特徴とする請求項１に記載のシステム。
【請求項３】
前記少なくとも１つの地上のサービスプロバイダは、有線接続を通じてアクセスされるインターネットサーバで構成されることを特徴とする請求項１に記載のシステム。
【請求項４】
前記複数の補助装置は、テレビ受像機、ファクシミリ、コンピュータ及び電話であることを特徴とする請求項１に記載のシステム。
【請求項５】
異なる周波数が特定の補助装置により識別されることを特徴とする請求項１に記載のシステム。
【請求項６】
前記インターネットサーバは、インターネット以外のサービスへアクセスするために対象の補助装置を認証することを特徴とする請求項２に記載のシステム。
【請求項７】
移動型トランスピュータ装置を用いてデータサービスを提供する方法であって、該移動型トランスピュータ装置は、回路基板上に載置されたプロセッサチップと、アンテナ及び前記回路基板に接続された受信機と、前記アンテナ及び前記回路基板に接続された送信機と、メモリと、少なくとも２つのポートと、前記移動型トランスピュータをコンピュータまたはテレビ受像機に接続してインターネット接続及び他のサービスを提供するためのネットワークスロットとを備え、
前記移動型トランスピュータ装置をコンピュータまたはテレビ受像機に接続するステップと、
前記移動型トランスピュータ装置のメモリ内に格納された予め設定されていたインターネットアドレスを通じて、使用可能なインターネットアドレスを取得するために少なくとも１つの衛星のサービスプロバイダまたは地上のサービスプロバイダへの最初の接続を獲得するステップと、
インターネット接続及び他のサービスをコンピュータまたはテレビ受像機に提供するために前記移動型トランスピュータ装置を認証するステップとを含むことを特徴とする方法。
【請求項８】
前記少なくとも２つのポートは、HMDI及びUSB のリストから選ばれることを特徴とする請求項７に記載の方法。
【請求項９】
認証が、使用可能なインターネットアドレスを通じて行われることを特徴とする請求項７に記載の方法。
【請求項１０】
認証が、前記少なくとも１つの衛星のサービスプロバイダまたは地上のサービスプロバイダを通じて行われることを特徴とする請求項７に記載の方法。
【請求項１１】
前記移動型トランスピュータ装置は、前記メモリ内に格納されたソフトウェア内の機能とリンクしており、かつ、前記移動型トランスピュータ装置からアクセス可能であり、そして認証により任意のコンピュータからインターネットを介してアクセス可能な、ボタンを備えたグラフィカルユーザインタフェースをさらに備えることを特徴とする請求項７に記載の方法。
【請求項１２】
前記移動型トランスピュータ装置は、メモリ内に格納された電話機能及びファクシミリ機能共用のアドレス帳をさらに備え、該方法は、前記アドレス帳とインターネットサーバとを同期させるステップをさらに含むことを特徴とする請求項７に記載の方法。
【請求項１３】
複数のファクシミリ番号を設定するステップと、
受信ファクシミリを１つのファクシミリ番号へリダイレクトし、前記受信ファクシミリへのインターネットのアクセスを可能にするステップとをさらに含むことを特徴とする請求項７に記載の方法。
【請求項１４】
前記移動型トランスピュータ装置は、インターネットの電話帳をさらに備え、前記方法は、前記インターネットの電話帳へ接続するステップをさらに含むことを特徴とする請求項７に記載の方法。
【請求項１５】
テキストメッセージを送受信するステップをさらに含むことを特徴とする請求項７に記載の方法。
【請求項１６】
前記トランスピュータと、前記衛星、セルタワー及び／または地上のインターネットとの相互通信は利用サービスに基づいていることを特徴とする請求項１に記載のシステム。
【請求項１７】
前記処理チップは、前記補助ユーザ装置にデータを送信する前に、データパケットに追加された余分なビットを除去し、前記データパケットを修復することにより前記データを変更することを特徴とする請求項１に記載のシステム。
【請求項１８】
前記複数の補助装置のうちの１つはテレビ受像機であり、テレビ番組中に表示される広告は国及び地域に基づいていることを特徴とする請求項１に記載のシステム。
【請求項１９】
前記広告の各々の開始と終了はフラグにより示され、記録中には前記フラグにより示される広告は除去されることを特徴とする請求項１８に記載のシステム。
【請求項２０】
前記少なくとも１つの地上のサービスプロバイダ及び前記１つの衛星のサービスプロバイダは、特定の会社のプロバイダに限定されないことを特徴とする請求項１に記載のシステム。
【請求項２１】
前記インターネットサーバは、インターネットプロトコルアドレスを通じて補助装置を認証することを特徴とする請求項２に記載のシステム。
【請求項２２】
認証は利用サービスに基づいていることを特徴とする請求項２１に記載のシステム。
【請求項２３】
利用サービスに基づく認証をさらに備えることを特徴とする請求項９に記載の方法。
【請求項２４】
少なくとも１つの地上のサービスプロバイダはインターネットサーバであり、該インターネットサーバは、認証サーバ、制御サーバ及びデータサーバを含むことを特徴とする請求項１に記載のシステム。
【請求項２５】
前記データサーバの各々は、テレビ番組の単一のチャンネル専用であることを特徴とする請求項２４に記載のシステム。
【請求項２６】
前記トランスピュータは、前記プロセッサに接続されたキャッシュメモリと、前記ランダムアクセスメモリとをさらに含むことを特徴とする請求項１に記載のシステム。
【請求項２７】
前記トランスピュータのキャッシュメモリは、近傍でまたは遠隔地の媒体から操作されるインターネットの映像及びゲームを処理するために使用されることを特徴とする請求項２６に記載のシステム。
【請求項２８】
前記トランスピュータに接続されたリモートコントロールをさらに含むことを特徴とする請求項１に記載のシステム。
【請求項２９】
前記トランスピュータは、前記送信機及び受信機を介して接続される前記補助装置からサブネットを作成するようプログラムされることを特徴とする請求項１に記載のシステム。
【請求項３０】
前記トランスピュータは、前記サブネットにおける前記補助装置にアドレスを割り当てるようプログラムされることを特徴とする請求項２９に記載のシステム。
【請求項３１】
テレビ、電話、ファクシミリ及びビデオ会議を含む複数のサービスをグラフィカルユーザインタフェースを通して受信するように前記インターネットサーバは前記システムを認証することを特徴とする請求項２４に記載のシステム。
【請求項３２】
前記グラフィカルユーザインタフェースは、テレビ、及びインターネットベースのアプリケーションを同時並行で提供することを特徴とする請求項３１に記載のシステム。
【請求項３３】
前記グラフィカルユーザインタフェースは、国又は地域からチャンネルを受信するために前記国又は地域を選択するオプションを提供することを特徴とする請求項３１に記載のシステム。
【請求項３４】
前記グラフィカルユーザインタフェースは支払いシステムにリンクし、サービスパッケージを追加及び削除する顧客サービスメニューを提供することを特徴とする請求項３２に記載のシステム。
【請求項３５】
前記インターネットサーバは、ＩＰからサービスにアクセスするように無線電話を認証することを特徴とする請求項２４に記載のシステム。
【請求項３６】
遠隔サーバにデータを記録することを特徴とする請求項１に記載のシステム。
【請求項３７】
キャッシュされたメモリを利用するインターネット接続のトランスピュータにテレビの内容を記録することを特徴とする請求項２６に記載のシステム。
【請求項３８】
認証によって、トランスピュータ上の処理、およびリモートサーバ上の関連データを視認して管理するように、前記システムはユーザ装置に遠隔で接続されることを特徴とする請求項２１に記載のシステム。
【請求項３９】
ＩＰから他の装置に着信データを無線で配信することを特徴とする請求項１に記載のシステム。
【請求項４０】
テレビ、電話及び他のサービスを提供するために、前記グラフィカルユーザインタフェースはオペレーティングシステムを搭載した任意の装置にインストール可能であり、メニュー選択の特定のサービスを提供するために、前記グラフィカルユーザインタフェースはメニューコマンドを利用することによって、テレビサービスは１つのコマンドを選択することで提供され、電話サービスは別のメニューコマンドを選択することで提供され、他のサービスは他のコマンドを選択することで提供されることを特徴とする請求項３１に記載のシステム。
【請求項４１】
サーバからサービスにアクセスするために、支払いを含む所有者の詳細情報を入力及び登録するグラフィカルユーザインタフェースを提供することを特徴とする請求項７に記載の方法。
【請求項４２】
ＨＤＭＩポートまたはＵＳＢポートを通してテレビまたはコンピュータにサービスを提供するために、移動型トランスピュータミニを地上ベースのネットワークに接続することを特徴とする請求項７に記載の方法。
【請求項４３】
接続が不可能である場合、前記移動型トランスピュータミニは、接続してサービスを受けるためのリセットボタンを利用することを特徴とする請求項４２に記載の方法。
【国際調査報告】
2013530553.tif 000016
2013530553.tif 000017